(57)【要約】  液体をディスペンサから動物に吐出する方法。この方法は、ディスペンサの先端部を動物の皮膚またはその近傍に配置する工程と、ディスペンサの本体内に移動可能に配設されたプランジャを押圧する工程とを備える。プランジャの押圧により本体の膜が穿孔されて、開口が膜に形成される。液体の少なくとも一部を、ディスペンサの開口を介して動物の皮膚に吐出する。別の実施形態では、液体をディスペンサから動物の皮膚に吐出するためのディスペンサが提供される。このディスペンサは、キャップおよび交換可能なカートリッジを備えることができる。
2013542729.tif 000002
【特許請求の範囲】
【請求項１】
液体ディスペンサであって、
把持部材を有する中空の本体と、
前記本体の一端に結合され、吐出用開口を画定しているキャップと、
前記キャップ内に配設され、膜を有するカートリッジと、
前記本体内に移動可能に配設されたプランジャと
を備え、
前記プランジャの移動により前記膜が穿孔され、液体が前記ディスペンサから流出するための開口が前記膜に形成されることを特徴とする液体ディスペンサ。
【請求項２】
前記カートリッジが、前記キャップ内に取り外し可能に配設されている、請求項１に記載の液体ディスペンサ。
【請求項３】
前記本体に移動可能に結合され、プランジャに近接して配置されたラッチをさらに備え、前記ラッチの移動により、前記プランジャが、解放されて移動可能となる、請求項１に記載の液体ディスペンサ。
【請求項４】
前記キャップが、差し込み式接続によって前記本体に結合される、請求項１に記載の液体ディスペンサ。
【請求項５】
前記キャップが、前記本体に画定された開口に係合するための複数のラッチアームを備えている、請求項１に記載の液体ディスペンサ。
【請求項６】
前記カートリッジが、一端に前記膜が配設されたハウジングを備えている、請求項１に記載の液体ディスペンサ。
【請求項７】
前記カートリッジ内に移動可能に配設されたピストンをさらに備える、請求項１に記載の液体ディスペンサ。
【請求項８】
前記ピストンの移動により前記膜が穿孔され、液体が前記ディスペンサから流出するための開口が前記膜に形成される、請求項７に記載の液体ディスペンサ。
【請求項９】
前記ピストンが、前記膜を穿孔するための穿孔部材を備えている、請求項７に記載の液体ディスペンサ。
【請求項１０】
前記穿孔部材が、前記穿孔部材に画定された複数の流路を備えている、請求項９に記載の液体ディスペンサ。
【請求項１１】
前記穿孔部材が、前記膜の方に向けられた先端部を備えている、請求項９に記載の液体ディスペンサ。
【請求項１２】
前記ピストンと前記カートリッジとの中間に配設されたシール部材をさらに備える、請求項７に記載の液体ディスペンサ。
【請求項１３】
前記シール部材が、前記プランジャに対して成形されている、請求項１２に記載の液体ディスペンサ。
【請求項１４】
前記シール部材が、Ｏリングを含む、請求項１２に記載の液体ディスペンサ。
【請求項１５】
前記膜、前記シール部材、および前記カートリッジの内面によって画定されたリザーバをさらに備える、請求項１２に記載の液体ディスペンサ。
【請求項１６】
前記リザーバが、液体および気体を含む、請求項１５に記載の液体ディスペンサ。
【請求項１７】
前記液体が、動物を処置するための殺虫剤を含む、請求項１６に記載の液体ディスペンサ。
【請求項１８】
前記ピストンが前記膜に向かう方向に移動すると、前記リザーバ内の前記空気が圧縮される、請求項１６に記載の液体ディスペンサ。
【請求項１９】
使用中、前記プランジャが、吐出方向に移動して前記ピストンに接触する、請求項７に記載の液体ディスペンサ。
【請求項２０】
前記プランジャが前記ピストンに接触した後、前記プランジャと前記ピストンとが実質的に一緒に吐出方向に移動する、請求項１９に記載の液体ディスペンサ。
【請求項２１】
前記プランジャが、前記ピストンに接触する針を備えている、請求項１９に記載の液体ディスペンサ。
【請求項２２】
接触中、前記針の先端部が、前記ピストンに画定された凹部に係合している、請求項２１に記載の液体ディスペンサ。
【請求項２３】
前記プランジャが前記ピストンに接触した後、前記プランジャの少なくとも一部が、前記カートリッジ内に移動可能に配設されることになる、請求項１９に記載の液体ディスペンサ。
【請求項２４】
前記吐出用開口が前記キャップの一端に画定され、シールがその反対側端部に配設されている、請求項１に記載の液体ディスペンサ。
【請求項２５】
前記キャップが前記本体に結合されるときに、前記プランジャが前記シールを穿孔する、請求項２４に記載の液体ディスペンサ。
【請求項２６】
把持部材を有する中空の本体と、
前記本体の一端に結合され、吐出用開口を画定しているキャップと、
前記中空本体内に移動可能に配設されたプランジャと
を有するディスペンサと、
それぞれが、膜を有し、前記キャップ内に取り外し可能かつ交換可能に収容され得る複数のカートリッジと
を備えることを特徴とする液体吐出システム。
【請求項２７】
前記複数のカートリッジの１つが前記ディスペンサに装着され、前記プランジャの移動により、前記プランジャが前記膜を穿孔し、液体が前記ディスペンサから流出するための開口が前記膜に形成される、請求項２６に記載の液体吐出システム。
【請求項２８】
前記本体に移動可能に結合され、指で作動可能なプランジャに近接して配置された、指で作動可能なラッチをさらに備え、前記ラッチの移動により、前記プランジャが解放されて移動可能となる、請求項２６に記載の液体吐出システム。
【請求項２９】
前記キャップが、差し込み式接続によって前記本体に結合される、請求項２６に記載の液体吐出システム。
【請求項３０】
前記カートリッジが、一端に前記膜が配設されたハウジングを備えている、請求項２６に記載の液体吐出システム。
【請求項３１】
前記カートリッジ内に移動可能に配設されたピストンをさらに備える、請求項３０に記載の液体吐出システム。
【請求項３２】
前記ピストンの移動により前記膜が穿孔され、液体が前記ディスペンサから流出するための開口が前記膜に形成される、請求項３１に記載の液体吐出システム。
【請求項３３】
前記ピストンが、前記膜を穿孔するための穿孔部材を備えている、請求項３１に記載の液体吐出システム。
【請求項３４】
前記穿孔部材が、前記穿孔部材に画定された複数の流路を備えている、請求項３３に記載の液体吐出システム。
【請求項３５】
前記ピストンと前記カートリッジとの中間に配設されたシール部材をさらに備える、請求項３１に記載の液体吐出システム。
【請求項３６】
前記シール部材が、前記ピストンの外面に形成された溝に配設されている、請求項３５に記載の液体吐出システム。
【請求項３７】
前記シール部材がＯリングを含む、請求項３５に記載の液体吐出システム。
【請求項３８】
前記膜、前記シール部材、および前記カートリッジの内面によって画定されたリザーバをさらに備える、請求項３５に記載の液体吐出システム。
【請求項３９】
前記リザーバが、液体および気体を含む、請求項３８に記載の液体吐出システム。
【請求項４０】
前記液体が、動物を処置するための殺虫剤を含む、請求項３９に記載の液体吐出システム。
【請求項４１】
前記ピストンが膜に向かう方向に移動すると、前記リザーバ内の前記空気が圧縮される、請求項３９に記載の液体吐出システム。
【請求項４２】
使用中、前記プランジャは吐出方向に移動して前記ピストンに接触する、請求項３１に記載の液体吐出システム。
【請求項４３】
前記プランジャが前記ピストンに接触した後、前記プランジャと前記ピストンとは、実質的に同時に前記吐出方向に移動する、請求項４２に記載の液体吐出システム。
【請求項４４】
前記プランジャが、前記ピストンに接触する針を備えている、請求項４２に記載の液体吐出システム。
【請求項４５】
前記プランジャが前記ピストンに接触した後、前記プランジャの少なくとも一部が、前記カートリッジ内に移動可能に配設されることになる、請求項４２に記載の液体吐出システム。
【請求項４６】
中空の本体および前記本体内に移動可能に配設されたプランジャを有し、前記本体は把持部材を有するディスペンサと、
それぞれが、一端に吐出用開口を画定し、内部に配設された膜を有する複数のキャップと
を備え、各キャップは、前記本体の一端に取り外し可能かつ交換可能に結合可能であることを特徴とする液体または気体を吐出するためのシステム。
【請求項４７】
前記プランジャの移動により、前記プランジャが前記膜を穿孔し、液体が前記ディスペンサから流出するための開口が前記膜に形成される、請求項４６に記載のシステム。
【請求項４８】
前記各キャップが、差し込み式接続によって前記本体に結合可能である、請求項４６に記載のシステム。
【請求項４９】
前記各キャップが、前記本体に結合するためのラッチアームを備えている、請求項４６に記載のシステム。
【請求項５０】
前記キャップが前記本体に結合すると、前記ラッチアームが、前記本体に画定された開口に係合する、請求項４９に記載のシステム。
【請求項５１】
前記各キャップ内に配設されたカートリッジをさらに備え、前記膜が、前記カートリッジの一端に配設されている、請求項４６に記載のシステム。
【請求項５２】
前記カートリッジ内に移動可能に配設されたピストンをさらに備える、請求項５１に記載のシステム。
【請求項５３】
前記ピストンの移動により前記膜が穿孔され、液体が前記ディスペンサから流出するための開口が前記膜に形成される、請求項５２に記載のシステム。
【請求項５４】
前記ピストンが、前記膜を穿孔するための穿孔部材を備えている、請求項５２に記載のシステム。
【請求項５５】
前記穿孔部材が、前記穿孔部材に画定された複数の流路を備えている、請求項５４に記載のシステム。
【請求項５６】
前記穿孔部材が前記膜を穿孔すると、液体が前記複数の流路に沿って流れて前記ディスペンサから流出する、請求項５５に記載のシステム。
【請求項５７】
前記ピストンと前記カートリッジとの中間に配設されたシール部材をさらに備える、請求項５２に記載のシステム。
【請求項５８】
前記シール部材が、前記ピストンに対して成形されている、請求項５７に記載のシステム。
【請求項５９】
使用中、前記プランジャが吐出方向に移動して前記ピストンに接触する、請求項５２に記載のシステム。
【請求項６０】
前記プランジャが前記ピストンに接触した後、前記プランジャと前記ピストンとは、実質的に一緒に前記吐出方向に移動する、請求項５９に記載のシステム。
【請求項６１】
前記プランジャが、前記ピストンに接触する針を備えている、請求項５９に記載のシステム。
【請求項６２】
接触中、前記針の先端部が、前記ピストンに画定された凹部に係合している、請求項６１に記載のシステム。
【請求項６３】
前記プランジャが前記ピストンに接触した後、前記プランジャの少なくとも一部が、前記カートリッジ内に移動可能に配設されることになる、請求項５９に記載のシステム。
【請求項６４】
前記本体に移動可能に結合され、前記プランジャに近接して配置された、指で作動可能なラッチをさらに備え、前記ラッチの移動により、前記プランジャが解放されて移動可能となる、請求項４６に記載のシステム。
【発明の詳細な説明】
【背景】
【０００１】
本発明は、液体ディスペンサに関し、詳細には、液体ディスペンサ、およびこの液体ディスペンサを使用して家庭動物のノミ、ダニ、および他の害虫を処置する方法に関する。
【０００２】
家庭動物の日常のケアは、一般に、家庭動物のノミ、ダニ、および他の虫を処置することを含む。ノミは、蠕虫および様々な疾患のキャリアであり得、ダニは、疾患を家庭動物に伝染させる最も顕著な節足動物である。ノミとは異なり、ダニは、疾患または疾病を直接動物に引き起こし得る。ダニは、失血による貧血、唾液分泌による皮膚病、および唾液分泌物中の神経毒による上行性ダニ麻痺症（ａｓｃｅｎｄｉｎｇ  ｔｉｃｋ  ｐａｒａｌｙｓｉｓ）に関与する。ダニは、主に屋外に留まっているが、ノミは、住居に侵入することがあり、屋内および屋外の両方で動物に問題を引き起こす。
【０００３】
結果として、ノミ、ダニ、および他の害虫から家庭動物を守るために開発された様々な予防対策が存在する。このような一例は、ノミ取りまたはダニ取り首輪である。この首輪は、動物の首に巻いて装着されるが、ノミ取り首輪の場合、一部の研究者は、首輪は、ノミの予防には有効でないと提言している。ｗｗｗ．ｋ９ｗｅｂ．ｃｏｍを参照されたい。他の予防対策は、屋内および屋外の両方でノミおよび／またはノミの幼虫を殺虫するために化学物質をスプレーすることを含み得る。しかしながら、一部の化学物質は、毒性が非常に低いため、ノミの幼虫のみが殺虫され、ノミの成虫は影響を受けない。別の予防対策は、ノミ殺虫物質を使用して家庭動物を入浴させて、動物の体に現存するあらゆるノミを除去することである。動物のノミ殺虫物質への「浸漬」は、緊急のノミの問題を解決することができるが、将来のノミまたはダニの問題から動物を守るものではない。他の予防対策は、例えば、ノミを殺虫するまたは屋内のノミの寄生を防止する、屋内のカーペットまたは室内装飾材料に使用することができる粉末および他の化学物質を含む。
【０００４】
別の一般的な予防対策は、家庭動物に局所適用（塗布）する物質である。この例は、Ｂａｙｅｒ社のＡｄｖａｎｔａｇｅ（登録商標）、Ｍｅｒｉａｌ社のＦｒｏｎｔｌｉｎｅ（登録商標）、Ｖｉｒｂａｃ  ＡＨ社のＫｎｏｃｋｏｕｔ（登録商標）、およびＦａｒｎａｍ  Ｃｏｍｐａｎｉｅｓ社のＢｉｏＳｐｏｔ（登録商標）を含む。これらの物質は、動物の皮膚に適用される液体であり、接触時にノミまたはダニを殺虫することができる。研究により、このような物質が、他の昆虫に対して選択的に毒性であり得、防虫剤および殺虫剤の両方として役立つことが分かった。ｗｗｗ．ｋ９ｗｅｂ．ｃｏｍを参照されたい。このような物質は、ノミの神経系を破壊することによって機能し、適用から２４時間以内に存在するノミの１００％を死滅させ、イヌでは最大３ヶ月、ネコでは最大６週間にわたってノミを殺虫し続ける。ｈｔｔｐ：／／ｆｒｏｎｔｌｉｎｅ．ｕｓ．ｍｅｒｉａｌ．ｃｏｍ／ｐｒｏｄｕｃｔｓ／ｐｒｏｄｕｃｔｓ＿ｆｌｐｌｕｓ．ａｓｐを参照されたい。
【０００５】
前記の物質は、家庭動物のノミおよびダニの管理に有効であることが証明されているが、このような物質の適用に使用される従来のディスペンサは、使用が困難である。このような物質の１つを動物に適用する前に、使用者は、このような物質を含む密封ディスペンサを取り出すために、まず、はさみまたは別の切断工具を使用して外側パッケージを除去しなければならない。物質を取り出すためには、密封ディスペンサの一端を折り目に沿って曲げなければならない。曲げられた端部は、密封ディスペンサの残りの部分から切り離すか、または折り目に付けたままとすることができる。だが、ひとたび一端が曲げられれば、あとは物質をディスペンサから自由に流出させて、動物の皮膚に局所適用することができる。
【０００６】
このタイプの公知のディスペンサの１つの問題は、処置すべき動物とディスペンサの両方を同時に取り扱うという困難さがあることである。大きめの動物では、多くの場合、１人が動物を保定して、もう１人が両手を使って物質を局所適用する。１人だけで物質を適用しようとすると、片方の手でディスペンサを操作し、他方の手で動物を所定の位置に保つことが困難であるため、多くの場合、物質の全てではないにしても一部が、動物の皮膚に到達するのではなく、床または適用している人にこぼれてしまう。
【０００７】
前記で示唆したように、従来のディスペンサの別の問題は、使用者が、物質に直接接触する可能性があることである。例えば、ひとたびディスペンサの一端が曲げられると、物質が、ディスペンサから自由に流出することになる。使用者が、ディスペンサの操作に注意を払わないと、物質が、開口端部から漏れて使用者の体または衣類に付着することがある。
【０００８】
また、動物によっては、大量の毛でできた厚い被毛、例えば、「ダブルコート」を持っているため、物質の動物の皮膚への適用が妨げられる、または阻止される。このような場合、使用者は、物質が皮膚に到達するように動物の毛の中に物質を擦り込まなければならないかもしれない。また、この場合、使用者の皮膚または衣類が、物質に直接接触し、これにより、特に使用者が使用後に皮膚または衣類を完全に洗浄しない場合、使用者に健康上のリスクが生じることがある。物質との直接または間接的ないかなる接触も、危険である場合がある。残念なことに、従来のディスペンサは、物質との接触を完全に断つようには設計されていない。
【０００９】
したがって、１人で物質を家庭動物に局所適用することができ、しかもその人が物質に汚染される可能性を低減または排除した液体ディスペンサ、およびこのディスペンサを使用する方法が要望されている。
【発明の概要】
【００１０】
本発明は、液体をディスペンサから動物に吐出するための装置および方法を提供する。ディスペンサは、液体が保持されるチャンバを画定する本体と、本体内に移動可能に配設されたプランジャとを有する。使用にあたって、ディスペンサの先端部が、動物の皮膚またはその近傍に配置される。チャンバ内の気体が圧縮されるように、プランジャが押圧される。プランジャが押圧されると、このプランジャが、本体の膜を穿孔し、その膜に開口が形成される。チャンバ内に保持される液体の少なくとも一部が、ディスペンサの開口から動物の皮膚上に吐出される。
【００１１】
この一形態では、液体をディスペンサから動物に吐出する方法が提供される。このディスペンサは、液体が保持されるチャンバを画定する本体と、この本体内に移動可能に配設されたプランジャとを有する。この方法は、片方の手でディスペンサを把持する工程と、ディスペンサの先端部を動物の皮膚またはその近傍に配置する工程とを含む。ディスペンサのラッチは、その片方の手でロック解除することができ、これによりプランジャが解放される。液体の少なくとも一部が、ディスペンサの開口から出されるように、その片方の手でプランジャを押圧することができる。次いで、使用者がディスペンサを操作して、液体を動物の皮膚上に吐出するときに、第２の手すなわちもう一方の手を動物の保定に使用することができる。
【００１２】
異なる実施形態では、膜を有する中空本体と把持部材とを備える液体ディスペンサが提供される。液体ディスペンサは、本体に移動可能に配設された指で作動可能なプランジャも備え、このプランジャの移動により膜が穿孔され、液体がディスペンサから流出するための開口が膜に形成される。指で作動可能なラッチが、本体に移動可能に結合され、指で作動可能なプランジャに近接して配置されている。ラッチの移動により、プランジャが、解放されて移動可能となる。指で作動可能なラッチは、液体の偶発的な排出を防止することができ、小児安全機構としても機能する。
【００１３】
これらの実施形態は、個人が片手のみでディスペンサを操作できるため有利である。指で作動可能なラッチは、液体を吐出するためにプランジャを押圧するのと同じ手で解放することができる。これにより、使用者の他方の手が自由になり、液体を動物の皮膚に吐出するときに動物を保定することができる。ディスペンサはまた、液体を吐出するときに使用者に触感を伝えることもできる。例えば、使用者がプランジャを本体内で移動させるときに、本体の膜が、プランジャの移動に対して抵抗する。使用者は、この抵抗を感じることができ、プランジャにさらに力を加えると、プランジャが、膜を穿孔することができ、これにより液体がディスペンサから流出するための開口が膜に形成される。
【００１４】
別の実施形態では、ディスペンサを製造する方法が提供される。この方法は、チャンバを有するディスペンサ本体を用意する工程と、液体をこのチャンバに加える工程とを含む。プランジャをチャンバ内に挿入し、実質的に気密のシールを、チャンバとプランジャとの間に形成する。プランジャは、チャンバ内で所望の深さに保持され、解放可能なラッチが、プランジャに係合し、使用されるまでプランジャを所定の位置に保持する。
【００１５】
有利な実施形態では、液体ディスペンサが提供され、この液体ディスペンサは、把持部材を有する中空本体と、この本体の一端に結合されたキャップとを備えている。キャップは、本体とは反対側の端部に吐出用開口を画定している。ディスペンサは、膜を有するカートリッジも備え、カートリッジは、キャップ内に取り外し可能に配設されている。指で作動可能なプランジャが、本体内に移動可能に配設され、プランジャの移動により膜が穿孔され、液体がディスペンサから流出するための開口が膜に形成される。この実施形態の一態様では、カートリッジは、交換可能とすることができるため、１回の使用の後、使用したカートリッジを取り外して、新しいカートリッジをキャップ内に装着する。有利なことに、使用者は、別のディスペンサを購入しなくても、ディスペンサを繰り返し再使用することができる。代わりに、使用者は、カートリッジを補充するだけであり、より経済的かつ環境に優しいディスペンサが実現する。
【００１６】
同様に、液体ディスペンサを使用する方法を含む実施形態が提供される。この方法は、キャップの先端部を動物の皮膚またはその近傍に配置する工程と、プランジャを押圧する工程とを含む。プランジャが押圧されると、カートリッジ内に画定されたリザーバ内の空気または気体が圧縮される。プランジャの移動により、カートリッジの膜が穿孔され、膜に開口が形成される。この方法は、液体の少なくとも一部をキャップの吐出用開口を介して動物の皮膚上に吐出する工程をさらに含む。同様に、この方法は、使用したカートリッジを新しいカートリッジで交換する工程も含むことができる。交換するために、キャップを本体から分離し、使用したカートリッジをキャップから取り出す。新しいカートリッジをキャップ内に装着することができ、次いでキャップを本体に再び結合することができる。これで、このディスペンサが使える状態になる。
【００１７】
別の例示的な実施形態の一態様では、液体吐出システムが提供される。このシステムは、ディスペンサと複数のカートリッジとを含む。ディスペンサは、把持部材を有する中空本体と、この本体の一端に結合されたキャップとを備えている。キャップは、本体とは反対側の一端に吐出用開口を画定している。ディスペンサは、本体内に移動可能に配設されたプランジャも備えている。複数のカートリッジのそれぞれが膜を有する。複数のカートリッジは、キャップ内に取り外し可能かつ交換可能に収容される。
【００１８】
その別の形態では、システムは、ディスペンサと複数のキャップとを含む。ディスペンサは、中空本体と、この本体に移動可能に配設されたプランジャとを備えている。本体は、把持部材を有する。複数のキャップのそれぞれが、その一端に吐出用開口を画定している。また、膜が、各キャップ内に配設されている。複数のキャップが、本体の一端に取り外し可能かつ交換可能に結合されている。
【００１９】
有利なことに、本発明は、使用者が片方の手だけで操作して液体を吐出することができ、自由になった使用者の他方の手で動物を保定することができる、家庭動物の皮膚に液体を局所適用（塗布）するための使いやすい液体ディスペンサを提供する。
【００２０】
別の利点は、単に局所適用されるのではなく、ディスペンサから吐出されるストリームまたはスプレーが、高速で動物の皮膚に送達されることである。これにより、薬剤のその目的の位置、すなわち動物の皮膚への到達が促進され、これは、特にダブルコートの動物に有利である。
【００２１】
添付の図面と共に、本発明の実施形態の以下の説明を参照することにより、本発明の前記の態様およびこれらを得る方法がより明らかになり、本発明自体もより良く理解できるであろう。
【図面の簡単な説明】
【００２２】
【図１Ａ】図１Ａは、液体を家庭動物に局所的に吐出している従来のディスペンサの斜視図である。
【００２３】
【図１Ｂ】図１Ｂは、液体が使用者の体に不所望に排出されて示されている図１Ａの従来のディスペンサの斜視図である。
【００２４】
【図２Ａ】図２Ａは、液体を家庭動物に局所的に吐出している本発明の一実施形態に従った液体ディスペンサの斜視図である。
【００２５】
【図２Ｂ】図２Ｂは、図２Ａの液体ディスペンサの拡大斜視図である。
【００２６】
【図３】図３は、液体ディスペンサの一実施形態の組立分解正面図である。
【００２７】
【図３Ａ】図３Ａは、線３Ａ−３Ａに沿った図３の液体ディスペンサのプランジャの一実施形態の断面図である。
【００２８】
【図３Ｂ】図３Ｂは、線３Ｂ−３Ｂに沿った図３の液体ディスペンサのプランジャの第２の実施形態の断面図である。
【００２９】
【図４Ａ】図４Ａは、指で作動可能なラッチが解放位置に移動した液体ディスペンサの斜視図である。
【００３０】
【図４Ｂ】図４Ｂは、プランジャが不完全に押圧されて膜と接触している図４Ａの液体ディスペンサの斜視図である。
【００３１】
【図４Ｃ】図４Ｃは、プランジャが膜を穿孔して液体が吐出されている図４Ｂの液体ディスペンサの斜視図である。
【００３２】
【図５】図５は、完全に押圧された位置にある液体ディスペンサの斜視図である。
【００３３】
【図６Ａ】図６Ａは、指で作動可能なラッチの異なる実施形態を備えた液体ディスペンサの斜視図である。
【００３４】
【図６Ｂ】図６Ｂは、指で作動可能なラッチが取り外されてプランジャが押圧された図６Ａの液体ディスペンサの斜視図である。
【００３５】
【図７】図７は、液体ディスペンサの別の実施形態の斜視図である。
【００３６】
【図８】図８は、図７の液体ディスペンサの組立分解図である。
【００３７】
【図９ａ】図９ａは、吐出する前の位置にある図７の液体ディスペンサの断面図であり、ディスペンサにまだ取り付けられていないキャップを示している。
【図９ｂ】図９ｂは、吐出する前の位置にある図７の液体ディスペンサの断面図である。
【００３８】
【図１０】図１０は、吐出された位置にある図７の液体ディスペンサの断面図である。
【００３９】
【図１１】図１１は、液体ディスペンサの代替の実施形態の組立分解図である。
【００４０】
【図１２】図１２は、吐出する前の位置にある図１１の液体ディスペンサの断面図である。
【００４１】
【図１３】図１３は、吐出された位置にある図１１の液体ディスペンサの断面図である。
【００４２】
【図１４】図１４は、液体ディスペンサ用の使い捨てキャップの斜視図である。
【００４３】
【図１５ａ】図１５ａは、図１４の使い捨てキャップの部分断面斜視図である。
【００４４】
【図１５ｂ】図１５ｂは、図１４の使い捨てキャップの代替の実施形態の部分断面斜視図である。
【００４５】
【図１６】図１６は、液体ディスペンサに結合された図１４の使い捨てキャップの斜視図である。
【００４６】
【図１７】図１７は、液体ディスペンサから取り外された図１４の使い捨てキャップの斜視図である。
【発明を実施するための形態】
【００４７】
いくつかの図面において対応する要素を示すために、対応する参照符号が使用される。
【００４８】
以下において説明する本発明の実施形態は、全てを網羅している訳ではなく、また、以下の詳細な説明において開示されるそのままの形態に本発明を限定するものでもない。むしろ、当業者が、本発明の原理および実施を理解し、把握できるように実施形態を選択し説明する。
【００４９】
図１Ａおよび図１Ｂを参照すると、ノミまたはダニ抑制物質を動物１００に局所適用するための従来のディスペンサ１０２が示されている。従来のディスペンサ１０２は、使用者の一方の手１０４で保持されて示され、第２の手１０６は、動物１００を保定している。他の従来のディスペンサは、使用者がディスペンサを両手で保持する必要があり、したがって別の人物が動物を保定している必要がある。あるいは、動物が大きいことにより、別の人物が必要になることがある。しかしながら、図１Ｂでは、使用者の第２の手１０６は、抑制物質１０８が漏れた状態または手１０６に接触した状態で示されている。図１Ａおよび図１Ｂに示されているディスペンサを含む従来のディスペンサは、漏れまたは他の理由で使用者の体または衣類に接触することがある。これは、従来のディスペンサに付随するいくつかの不利な点の１つである。
【００５０】
図２Ａを参照すると、ディスペンサの例示的な実施形態が示されている。このディスペンサ２０２は、液体を動物２００に局所適用するために使用者の一方の手２０４で保持されている。使用者の第２の手２０６は、液体が動物に吐出されている間、動物２００を保定するために使用可能である。
【００５１】
図２Ｂに示すように、ディスペンサ２０２は、本体２１６と、プランジャ２１０と、安全ラッチ２１２とを備えている。ディスペンサ２０２は、使用者が一方の手２０４で操作することができる。例えば、１本の指２１４（例えば、親指）により、安全ラッチ２１２をロック位置からロック解除位置に移動させることで、プランジャ２１０を押圧することができる。第２の指２１８（例えば、中指）が、本体２１６の把持部材２０８を保持する、またはその周りに巻きつくことができ、その一方、第３の指２２０（例えば、人差し指）により、ディスペンサ２０２を直立位置に保持することができる。第２の指２１８および第３の指２２０により、ディスペンサ２０２の使用を制御して、使用者の体または衣類に液体が接触するのを防止することができる。安全ラッチ２１２がロック解除位置に移動したら、第１の指２１４によりプランジャ２１０を押圧し、本体２１６内の液体を動物２００上に吐出することができる。吐出後は（すなわち、プランジャが完全に吐出された位置に移動したら）、ラッチ２１２が、プランジャ２１０に再び係合してプランジャ２１０を完全に吐出された位置にロックすることができる。ディスペンサの構造的特徴およびその機能性は、以下の説明を読めば、より良く理解できるであろう。
【００５２】
図３を参照すると、液体ディスペンサの一実施形態が示されている。このディスペンサ３００は、本体３０２と、プランジャ３０４と、ラッチ３０６とを備えることができる。本体３０２は、使用者が片方の手で保持できる把持部材またはハンドル３０８を備えている。把持部材またはハンドル３０８は、実質的に円筒形のチャンバ３１０から延びている。チャンバ３１０は、中空にすることができ、その一端に第１の開口３１６を備え、その第２の端部に第２の開口３１８を備えている。一実施形態では、第１の開口３１６の直径は、第２の開口３１８の直径の少なくとも２倍である。しかしながら、異なる実施形態では、第１の開口３１６の直径は、第２の開口３１８の直径と実質的に同じである。あるいは、第１の開口３１６の第２の開口３１８に対する比は、３：２、４：３、３：１、５：２、または任意の他の望ましい比とすることができる。
【００５３】
チャンバ３１０は、その第２の端部にテーパ先端部３１２を形成している。他の実施形態では、先端部３１２は、異なる形状にすることができる。第２の開口３１８は、先端部３１２に形成されている。使用中、液体が、チャンバの円筒部分３１０から先端部３１２に流れ、第２の開口３１８から吐出される。先端部３１２は、第２の開口３１８に、間に間隙３２０を画定するリップ３２２および３２４（図３に示す）を備えることができる。間隙３２０は、例えば、使用者が先端部３１２を表面、例えば、動物の皮膚に強く押圧する場合に重要であり得る。先端部３１２が動物に塞がれることなく、液体が、リップ３２２と３２４との間に形成された間隙３２０を介してディスペンサ３００から自由に流出することができる。
【００５４】
本体３０２はまた、把持部材３０８の反対側にチャンバ３１０から延びたタブ３１４も備えることができる。タブ３１４は、使用中に、使用者の手の第１の指が、把持部材３０８の周りに巻きつくことができ、第２の指、典型的には、人差し指が、タブ３１４の周りに巻きつくように湾曲した形状を有することができる。把持部材３０８およびタブ３１４の両方の箇所でディスペンサ３０２を保持することにより、使用者は、ディスペンサ３０２を片方の手で上手に操作することができ、したがって使用者の第２の手が自由となり、動物を保定することができる。
【００５５】
本体３０２は、プラスチックまたは当業者に公知の任意の他の材料から形成することができる。一実施形態では、本体３０２は、透明または半透明とすることができる。この実施形態では、チャンバ３１０内の液体は、チャンバの外部から見える。あるいは、本体３０２は、不透明または有色とすることができる。本体３０２は、把持部材３０８、チャンバ３１０、先端部３１２、およびタブ３１４が一体成形されるように射出成形プロセスによって形成することができる。しかしながら、別の実施形態では、把持部材３０８および／またはタブ３１４をチャンバ３１０に結合される別個の部品とすることも可能である。
【００５６】
ディスペンサ３００のプランジャ３０４は、その長さに沿って実質的に円柱形とし、プラスチックから形成することができる。プランジャ３０４は、当業者に公知の他の材料から形成することもでき、プラスチックに限定されるものではない。プランジャ３０４の一端にはボタン３２６が存在し、第２の端部には針３２８が存在する。ボタン３２６は、円形または楕円形を含む任意の断面形状を有することができる。針３２８は、細長く、鋭いまたは尖った先端部３５２で終端している。使用中、針３２８の先端部３５２は、本体３０２のチャンバ３１０内の膜または隔壁（図４〜図５参照）を穿孔することができる。図３Ａおよび図３Ｂを参照すると、針３２８の内部または周囲に、１つ以上の流路３５０を画定することができる。１つ以上の流路３５０は、使用中に液体が、１つ以上の流路３５０に沿って流れて、膜または隔壁によって遮断されることなく膜３１０を通過できるように、実質的に針３２８の長さに沿って延在することができる。図３Ａでは、１つ以上の流路３５０は、Ｖ字型の断面を有するが、図３Ｂでは、１つ以上の流路３５０は、曲線状の断面を有する。しかしながら、１つ以上の流路３５０は、任意の断面形状を有することができ、図３ＡのＶ字型の断面および図３Ｂの曲線状の断面に限定されるものではない。
【００５７】
プランジャ３０４は、ボタン３２６と針３２８との間に、第１の円柱部分３３０、第２の円柱部分３３２、および第３の円柱部分３３４を有することができる。第１の円柱部分３３０、第２の円柱部分３３２、および第３の円柱部分３３４の直径は、実質的に同じとしても良いし、または異なっても良い。溝３３６が、第１の円柱部分３３０と第２の円柱部分３３２との間に画定されている。溝３３６には、以下に詳細に説明するように、ラッチ３０６が係合することができる。リブ３３８を、第２の円柱部分３３２と第３の円柱部分３３４との間に形成することができる。リブ３３８は、第２の円柱部分３３２および第３の円柱部分３３４の直径よりも大きい直径を有する。以下に説明するように、プランジャ３０４が、本体３０２のチャンバ３１０内に挿入されると、リブ３３８が、環状リブ（不図示）と係合することができる。リブ３３８が環状リブに係合すると、プランジャ３０４は、完全に押圧された位置に到達している（図５参照）。
【００５８】
針３２８の先端部３５２の近傍に、内側環状リング３４０および外側環状リング３４２が配設されている。内側環状リング３４０は、この内側環状リング３４０と外側環状リング３４２との間に溝が画定されるように外側環状リング３４２から離隔している。シール部材３４４、例えば、Ｏリングを、内側環状リング３４０と外側環状リング３４２との間の溝に配置することができる。使用中、シール部材３４４は、液体がチャンバ３１０内に逆流するのを防止することができる。
【００５９】
前記のように、ディスペンサ３００は、ラッチ３０６をさらに備えることができる。図３では、例えば、ラッチ３０６の実施形態は、ラッチ本体３４６およびそこから延びた１つ以上のアーム３４８を備えている。この１つ以上のアーム３４８は、プランジャ３０４に形成された溝３３６に係合するように弾性とすることができる。ラッチ３０６は、いたずら防止ロックとして機能し、したがってディスペンサ３００は、その設計の安全性を高めることができる。ラッチ３０６は、プラスチックまたは当業者に公知の任意の他の材料から形成することができる。
【００６０】
ディスペンサ３００を組み立てる場合は、プランジャ３０４の先端部３５２を本体３０２の第１の開口３１６に挿入することができる。プランジャ３０４が挿入されるときに、円筒体３１０の内径よりも小さい外径を有するリブ３３８が、チャンバ３１０内を自由にスライドする。しかしながら、プランジャ３０４は、本体３０２内に完全には挿入されない。むしろ、プランジャ３０４は、特定の深さまで挿入されると、ラッチ３０６が移動してプランジャ３０４に係合する。ラッチ３０６は、把持部材３０８の曲面３５４に沿ってスライドしてプランジャ３０４に係合することができる。プランジャ３０４に係合する、つまりプランジャ３０４をロックする場合は、ラッチ３０６のフォーク状アーム３４８が、プランジャ３０４の溝３３６に弾性的に係合する。ラッチ３０６をプランジャ３０４から引き離して、アーム３４８を溝３３６から係合解除することができる。代替の実施形態では、ラッチ３０６は、プランジャ３０４に係合するための異なる構造を有することができる。
【００６１】
図４Ａを参照すると、ディスペンサ３００は、本体３０２およびプランジャ３０４の一部が切り取られて示されている。プランジャ３０４は、非押圧または準備完了位置に示されている。この位置では、リザーバ４１２が、本体３０２内のシール部材３４４と膜４０４との間に形成されている。リザーバ４１２は、空気または他の気体４１０および吐出される液体４０２を含むことができる。非押圧または準備完了位置では、リザーバ４１２は、最大容積を有する。針３２８の先端部３５２が、膜４０４に向けられるようにプランジャ３０４からリザーバ４１２内に延びている。プランジャ３０４の内側リング３４０が、本体３０２のチャンバ３１０から径方向内側に突き出た環状リブ４１８に接触することができる。
【００６２】
液体４０２をディスペンサ３００から吐出させる場合は、ラッチ３０６を矢印４０６（図４Ｂ）の方向に移動させて、フォーク状アーム３４８がプランジャ３０４の溝３３６から係合解除されるようする。把持部材３０８の曲面３５４は、トラックまたはチャネルとして機能し、このトラックに沿ってラッチ３０６がスライドすることができる。プランジャ３０４から係合解除するためにはラッチ３０６をどちらの方向に移動させるべきかを使用者に示すために、矢印４０８（図４Ａ）をラッチ３０６の表面に設けることができる。ラッチ３０６をプランジャ３０４から完全に係合解除するためには、把持部材３０８の曲面３５４から突き出た１つ以上のストッパー４１４にラッチ３０６が接触するまで、ラッチ３０６を矢印４０６の方向に移動させる。一実施形態では、ラッチ３０６は、別個の要素としてプランジャから取り外すことができる。しかしながら、別の実施形態では、ラッチ３０６は、把持部材３０８の曲面３５４にスライド可能に結合することができる。
【００６３】
ラッチ３０６がプランジャ３０４から係合解除されたら、プランジャ３０４を自由に押圧することができる。図４Ｂでは、プランジャ３０４を、矢印４１６の方向に押圧することができる。ボタン３２６に力を加えて、プランジャ３０４を矢印４１６の方向に移動させることができる。針３２８の先端部３５２も同様に、本体３０２の膜４０４に接触するまで矢印４１６の方向に移動する。膜４０４は、先端部３５２が膜４０４に接触したときに使用者に触覚応答を伝えることができる弾性または変形可能な材料から形成することができる。図４Ｂに示すように、先端部３５２が膜４０４に接触すると、膜４０４は、最初は針３２８の移動に抵抗する。したがって、使用者は、先端部３５２が膜４０４を穿孔するまで、さらなる圧力を矢印４１６の方向に沿ってボタンに加えなければならない。
【００６４】
プランジャ３０４が押圧されると、リザーバ４１２の容積が減少する。結果として、リザーバ４１２内の空気または他の気体４１０が、シール部材３４４と膜４０４との間で圧縮される。空気または他の気体４１０は、リザーバ４１２内で圧縮されるが、膜４０４を破裂または裂くほど強くは圧縮されない。加えて、圧縮された空気または気体は、先端部３５２が膜４０４に接触したことを使用者が感じることができないほどには、矢印４１６の方向に沿ったプランジャ３０４の移動に抵抗しない。言い換えれば、使用者は、先端部３５２が膜４０４に接触したときに膜４０４からの触覚フィードバックを受け取るが、圧縮された空気または気体により、プランジャ３０４の押圧移動に対抗する非常に小さい抵抗または反力しか感じない。触覚フィードバックは、使用者に対する空気圧クッションとして機能する。したがって、使用者は、圧縮された空気または気体による抵抗と、先端部３５２が膜４０４に接触したときに生じる抵抗とを容易に区別することができる。
【００６５】
図４Ｃを参照すると、プランジャ３０４が、矢印４１６の方向に沿ってさらに押圧されて、針３２８が膜４０４を穿孔している。針３２８が、膜４０４を穿孔すると、液体４０２を、ディスペンサ３００から吐出することができる。液体４０２は、針３２８の１つ以上の流路３５０に沿って流れてから、第２の開口３１８から流出することができる。前記のように、プランジャ３０４が矢印４１６の方向に沿って移動するときに、リザーバ４１２内の空気または気体４１０が圧縮され続け、先端部３５２が膜４０４を穿孔すると、液体４０２が、所定の速度で第２の開口３１８から吐出される。液体４０２は、ディスペンサ３００からジェット状に噴出するため、例えば、動物の毛皮または毛を突き抜けるまたは迂回して動物の皮膚に到達することができる。これは、従来のディスペンサよりも有利である。なぜなら、使用者が、動物が処置を受けられるように動物の皮膚に液体を擦り込むまたは塗りつける必要がないからである。結果として、ディスペンサは、ノミまたはダニ抑制薬剤の家庭動物への局所適用に対してより衛生的で有効な方法を実現することができる。
【００６６】
図５では、プランジャ３０４は、完全に押圧されて（すなわち、吐出された位置で）おり、液体４０２の殆どが、第２の開口３１８から既に吐出されている。この位置では、プランジャ３０４のリブ３３８が、チャンバ３１０の環状リブ４１８に係合しているため、プランジャ３０４は、矢印４１６の方向に沿ってこれ以上移動するのが防止されている。この実施形態では、ディスペンサ３００を廃棄またはリサイクルすることができる。代替の実施形態では、以下に詳細に説明するように、交換カートリッジを使用することができ、ディスペンサ３００は再使用可能である。
【００６７】
図６Ａ〜図６Ｂを参照すると、ディスペンサ３００は、本体３０２と、プランジャ３０４と、ラッチ６００とを備えている。本体３０２およびプランジャ３０４は、図３〜図５を参照して前記説明した特徴と同じ特徴を有する。しかしながら、ラッチ６００は、プランジャ３０４への係合の仕方が異なっている。ここでも、ラッチ６００は、ディスペンサ３００の安全性を向上させるいたずら防止ロックとすることができる。使用のためにプランジャ３０４を解放するためには、ラッチ６００を、把持部材３０８の曲面３５４に沿ってスライドさせるのではなく、矢印６０４の方向に回動させることができる。ラッチ６００が取り外されるまで、プランジャ３０４を押圧することができない。
【００６８】
ラッチ６００は、プランジャ３０４に画定された溝３３６に係合するフック６０２を備えることができる。溝３３６は、例えば、フック６０２が係合できるリップまたは隆起した面（不図示）を備えることができる。あるいは、フック６０２は、圧入結合によって溝３３６に係合する。当業者であれば、フック６０２が溝３３６に係合する他の方法も理解できよう。
【００６９】
ラッチ６００は、ハンドル６０６をさらに備えることができ、このハンドル６０６は、プランジャ３０４に対してラッチ６００を回動させる、またはプランジャ３０４からラッチ６００を取り外すために使用することができる。図６Ａおよび図６Ｂの実施形態では、ラッチ６００は、プランジャから完全に取り外される、または係合解除されるが、他の実施形態では、ラッチ６００は、プランジャ３０４にヒンジ結合することができ、ラッチ６００は、プランジャ３０４の移動を妨げない位置に移動する。ハンドル６０６は、ラッチ本体６１６に結合される、またはラッチ本体６１６の一部として形成される。ラッチ本体６１６は、リップ６１０と、プランジャ３０４の外面に接触する内面６０８とを備えている。例えば、ラッチ本体６１６の半径は、内面６０８が、プランジャ３０４の第１の円筒部分３３０の周りに適合するような寸法である。ラッチ６００は、弾性かつ耐久性のあるプラスチックから形成することができる。
【００７０】
ラッチ６００をプランジャ３０４から取り外す場合は、使用者はまず、ハンドル６０６を矢印６０４の方向に沿って引く。ラッチ６００は、回動させる、または取り外すことができ、取り外されたら、ラッチ６００は、プランジャから矢印６１２の方向に引き離すことができる。これにより、本体３０２内の液体を吐出するためにプランジャを矢印６１４の方向に押圧することができるようになる。
【００７１】
液体ディスペンサの異なる実施形態が、図７〜図１０に示されている。液体ディスペンサ７００は、交換可能なカートリッジ８０８（図８）で作動可能であり、したがって再使用することができる。液体ディスペンサ７００は、中空本体７０２と、プランジャ７０４と、ラッチ７０６とを備えている。本体７０２は、プランジャ７０４が挿入されるチャンバ部分７１０を備えることができる。本体７０２はまた、カートリッジ８０８を収納するためのキャップ８０６を本体７０２に結合できるように、本体７０２に画定されたスロットまたはチャネル７５８も備えることができる。チャネル７５８は、長手方向部分７６０および横方向部分７６２を有することができる。この実施形態では、キャップ８０６は、差し込み式または「迅速着脱」結合によって本体７０２に結合する。キャップ８０６は、ピン７５６を備えており、このピン７５６は、最初にチャネル７５８の長手方向部分７６０内に挿入される。次いで、ピン７５６が、チャネル７５８の横方向部分７６２を移動するように、キャップ８０６または本体７０２を回転させる。この位置では、キャップ８０６は、本体７０２に確実に結合されている。キャップ８０６は、圧入、ねじ式、スナップ嵌め、および当業者に公知の他の方法を含む代替の方法で本体７０２に結合することができる。
【００７２】
本体７０２は、使用者が片方の手でディスペンサ７００を保持できるように、把持部材７０８およびハンドル７１４を備えることができる。一方、キャップ８０６は、太い円筒部分８１０および細い円筒部分８１２を備えることができる。液体が吐出用開口８００を介してディスペンサ７００から流出するように、吐出用開口８００（図８）を細い円筒部分８１２に画定することができる。キャップ８０６を本体７０２に結合するためのピン７５６は、太い円筒部分８１０の表面から突き出ている。図７および図８には１つのピン７５６しか示されていないが、２つ以上のピン７５６が存在しても良い。加えて、細い円筒部分８１２は、キャップ８０６の吐出用開口８００の近傍に、第１の延長リップ７２２および第２の延長リップ７２４を備えることができる。図８では、複数の間隙７２０が、第１の延長リップ７２２と第２の延長リップ７２４との間に画定されているため、吐出用開口８００から流出する液体は、複数の間隙７２０を径方向に通過することもできる。したがって、キャップ８０６の細い円筒部分８１２が、吐出動作中に表面に対して強く押圧されると、その表面に塞がれることなく、液体を、複数の間隙７２０を介して径方向に吐出することができる。
【００７３】
プランジャ７０４は、その一端にボタン７２６を備えることができ、このボタン７２６が押圧されて、液体がディスペンサ７００から排出される。加えて、プランジャ７０４は、その反対側端部に針７２８を備えることができる。プランジャ７０４は、ボタン７２６と針７２８の先端部７５２との間に、第１の円柱部分７３０と、第２の円柱部分７３２と、第３の円柱部分７３４とを備えている。ラッチ７０６を受ける溝７３６が、第１の円柱分７３０と第２の円柱部分７３２との間に画定され、リブ７３８が、第２の円柱部分７３２と第３の円柱部分７３４との間のプランジャ７０４から突き出ている。
【００７４】
図８を参照すると、ラッチ７０６は、ラッチ本体７４６、およびプランジャ７０４の溝７３６に係合するフォーク状アーム７４８を備えることができる。ラッチ本体７４６の下面は、把持部材７０８の曲面７５４に沿った一対のトラック８０２にスライド可能に係合することができる一対のチャネル８０４を画定している。ラッチ７０６をプランジャ７０４から係合解除する場合、この実施形態では、ラッチ７０６を、把持部材７０８のトラック８０２に沿ってプランジャ７０４から離れる方向に移動させることができる。アーム７４８は、プランジャ７０６に係合するために弾性とすることができるため、ラッチ７０６をプランジャ７０４から係合解除するときに、アーム７４８が壊れるまたは割れることなく外側に曲がることができる。
【００７５】
ディスペンサ７００を組み立てる場合は、プランジャ７０４の先端部７５２を、本体７０２の一端に画定された第１の開口７１６に所定の深さまで挿入することができる。この所定の深さは、ラッチアーム７４８が溝７３６に係合できるよう、プランジャ７０４の溝７３６が本体７０２のチャンバ部分７１０の外部に維持されるように決定される。プランジャ７０４が、チャンバ部分７１０内に所定の深さまで挿入されたら、ラッチ７０６を、把持部材７０８の曲面７５４に結合することができる。この結合を行うために、ラッチの７０６の一対のチャネル８０４を、曲面７５４に沿った一対のトラック８０２に整合させる。ラッチアーム７４８がプランジャ７０４の溝７３６に係合するまで、ラッチ７０６を、曲面７５４に沿ってスライドさせることができる。あるいは、ラッチ７０６は、把持部材７０８の曲面７５４に結合する必要がないであろう。代わりに、ラッチアーム７４８を、プランジャ７０４の溝７３６に単純に嵌め込んで係合させることができる。
【００７６】
キャップ８０６は、ホイル８２８によって上端部がシールされる交換可能なカートリッジ８０８が配設される中空本体を画定している。ホイル８２８は、図９ａと図９ｂとの比較によって分かるように、キャップがディスペンサの主本体に装着されると、針７５２によって穿孔される。この「事前穿孔」機構は、吐出中に必要な力を軽減する。すなわち、ホイル８２８は、キャップが装着されるときに既に破られるため、吐出動作を行うのが容易である、すなわち少ない力で済む。カートリッジ８０８は、任意の形状にすることができるが、図７〜図１０の例示的な実施形態では、カートリッジ８０８は円筒状である。同様に、カートリッジ８０８は、プラスチック、または当業者に公知の任意の他の材料から形成することができる。しかしながら、多くの実施形態では、カートリッジ、または液体に接触する少なくともその内部は、金属ホイルから形成することが望ましいことも理解されたい。この理由の１つは、これらの教示に従ったカートリッジ内に収容できる多くの有機液体が、プラスチックを溶解する、またはプラスチックを通過して揮発するためである。さらに、多くのプラスチックは、ＵＶ光が透過できるため、プラスチックは、光酸化も許容し得る。さらに、一部のプラスチックは、湿気または酸素が透過することができ、金属ホイルでは生じない問題を引き起こすことがある。アルミニウムは、軽量で容易に穿孔可能であるため、特に適切な金属の１つであるが、当業者であれば、他の代替物に気付くであろう。ホイル８２８の反対側のカートリッジの端部には、膜８１４が存在する。膜８２８と同様に、膜８１４は、穿孔可能であり、このことが、カートリッジ８０８の安全かつ衛生的な取り扱い性を向上させることができる。ホイル８２８と同じカートリッジ８０８の端部では、環状リップまたはリング８１６が、カートリッジ８０８から突き出ている。環状リップまたはリング８１６は、カートリッジ８０８をキャップ８０６内に挿入できるようにキャップ８０６の内径よりも小さい外径を有する。
【００７７】
図８〜図１０を参照すると、カートリッジ８０８は、その内部に内部リザーバ９０４を画定している。液体９０６および空気または他の気体が、リザーバ９０４の中に入っている。リザーバ９０４は、カートリッジ８０８の一端で膜８１４によって画定され、その反対側端部でピストンつまり第２のプランジャ８１８（図８）の表面９１０によって画定されている。第２のプランジャつまりピストン８１８は、鋭いまたは尖った先端部８２２を有する針８２０を備え、この先端部８２２は、第２のプランジャ８１８の一端からリザーバ９０４の中に突出している。この実施形態では、針８２０は、膜８１４に整合している。針８２０の反対側端部において、第２のプランジャ８１８は、そこに画定された尖った凹部９０８（図９）を備え、この凹部９０８は、前記のようにキャップを装置の残りの部分に取り付ける際にプランジャ７０４の尖った先端部７５２を収容するためのものである。第２のプランジャ８１８は、その外周部または周辺部（第２のプランジャの形状によって決まる）に画定された複数の溝８２４（図８）をさらに備えている。液体９０６および空気または他の気体が第２のプランジャ８１８から漏出しないように、複数のシール部材またはＯリング８２６を、複数の溝８２４内に配設することができる。したがって、液体９０６および空気または他の気体は、カートリッジ８０８内に封入されている。
【００７８】
液体９０６をディスペンサ７００から吐出する場合は、最初にラッチ７０６をプランジャ７０４から取り外す、または係合解除する。ラッチ７０６がプランジャ７０４から係合解除されたら、プランジャ７０４を、キャップ８０６に向かって自由に押圧することができる。ボタン７２６に圧力を加えられると、プランジャ７０４が同様に、本体７０２のチャンバ部分７１０内をさらに移動して、針先端部７５２が、第２のプランジャ８１８に画定された凹部９０８に係合する。凹部９０８の形状は、先端部７５２の形状に一致するように示されているが、必ずしもそうする必要はない。有利となるように、針７２８の長さは、先端部７５２が凹部９０８に係合したときに針７２８が座屈しないような長さである。第２のプランジャ８１８は、カートリッジ８０８内に移動可能に配設される。したがって、先端部７５２が凹部９０８に係合すると、プランジャ７０４の移動により、第２のプランジャ８１８が同じ方向に同時に移動する。同様に、リザーバ９０４は、実質的にまたは完全に気密されているため、第２のプランジャ８１８が膜８１４に向かって移動すると、リザーバ９０４の容積が減少する。リザーバ９０４の容積の減少により、空気または他の気体が圧縮される。
【００７９】
第１のプランジャと呼ぶこともできるプランジャ７０４は、実質的に同じ速度および加速度で第２のプランジャ８１８と共に移動する。第１のプランジャ７０４および第２のプランジャ８１８は、第２の針８２０の先端部８２２が膜８１４に係合するまで、同じ方向に移動し続けることができる。膜８１４は、先端部８２２に対して殆ど抵抗できないため、先端部８２２は、膜８１４を容易に穿孔する。しかしながら、別法では、膜８１４は、ある程度の弾性を有し得るため、先端部８２２が膜８１４に接触したときに、先端部８２２が膜８１４を穿孔するまで使用者がボタン７２６にさらなる力を加える必要がある。したがって、膜８１４は、使用者に触覚フィードバックを提供することができる。
【００８０】
第２のプランジャ８２０の先端部８２２が膜８１４を穿孔すると、液体９０６および圧縮された空気または気体が、カートリッジ８０８から押し出される。液体９０６は、吐出用開口８００および／またはキャップ８０６に画定された複数の間隙７２０から吐出される。１つ以上の流路９０２を、第２の針８２０に画定することができ、この流路９０２は、針８２０の長さの一部に沿って延在する。液体９０６は、１つ以上の流路９０２に沿ってリザーバ９０４から流出できるため、液体９０６は、膜８１４によって遮断されない。
【００８１】
使用後、キャップ８０６を回して、ピン７５６を、チャネル７５８の横方向部分７６２を移動させることができる。次いで、キャップ８０６が本体７０２から分離するまでピン７５６がチャネル７５８の長手方向部分７６０を移動したら、キャップ８０６を本体７０２から引き離すことができる。キャップ８０６が本体７０２から取り外されたら、使用したカートリッジ８０８をキャップ８０６から取り外して交換することができる。この実施形態では、カートリッジを除く全てが再使用可能であるため、廃棄物および使用者の費用が軽減される。
【００８２】
また、キャップとカートリッジは、互いに分離できないように形成することもできることを理解されたい。このような実施形態では、キャップアセンブリ全体が使い捨てとなる。
【００８３】
液体ディスペンサの別の代替の実施形態が、図１１〜図１３に示されている。ディスペンサ１１００は、前記のディスペンサ７００に類似した構造を有する。ディスペンサ１１００は、本体１１０２と、プランジャ１１０４と、ラッチ１１０６と、キャップ１１１２とを備えている。本体１１０２は、ディスペンサ１１００を片方の手で保持しやすくする把持部材１１０８およびハンドル１１１４を備えている。把持部材１１０８の曲面１１５４は、一対のトラック１１５２を備えることができ、ラッチ１１０６に画定された一対のチャネル１１５０が、この一対のトラック１１５２に沿って移動することができる。本体１１０２は、プランジャ１１０４が通過するチャンバ部分１１１０も備えることができる。チャンバ部分１１１０は、内部に画定されたチャネルまたはスロット１１５８を有することができ、このスロット１１５８は、長手方向部分および横方向部分を備えている。キャップ１１１２から突き出たピンまたはタブ１１５６が、チャネルまたはスロット１１５８に係合して、キャップ１１１２を本体１１０２に結合する差し込み式または「迅速着脱」接続を形成する。
【００８４】
チャネル１１５０の他に、ラッチ１１０６は、ラッチ本体１１４６およびフォーク状アーム１１４８を備えている。フォーク状アーム１１４８は、プランジャ１１０４に画定された溝１１３６に結合または係合するために弾性とすることができる。プランジャ１１０４は、吐出方向に（すなわち、キャップ１１１２に向かって）押圧または押し込むことができるボタン１１２６を備えている。加えて、プランジャ１１０４は、第１の円柱部分１１３０と、第２の円柱部分１１３２と、第３の円柱部分１１３４とを備えることができる。前記の溝１１３６は、第１の円柱部分１１３０と第２の円柱部分１１３２との間に画定され、環状リブ１１３８が、第２の円柱部分１１３２と第３の円柱部分１１３４との間で径方向外側に突き出ている。ボタン１１２６とは反対側の端部において、プランジャ１１０４は、針（図８の実施形態に見られるような）ではなく端面１１４４を有する。端面１１４４は、平面、凹面、凸面、または任意の他の公知の設計とすることができる。
【００８５】
キャップ１１１２は、細い円筒部分１１４０および太い円筒部分１１４２を備えている。ピンまたはタブ１１５６が、太い円筒部分１１４２から突出し、吐出用開口１１２８が、細い円筒部分１１４０に画定されている。吐出用開口１１２８は、第１の延長リップ１１２２および第２の延長リップ１１２４によって形成されている。複数の間隙１１２０が、第１の延長リップ１１２２と第２の延長リップ１１２４との間に画定されているため、液体は、吐出用開口１１２８または複数の間隙１１２０を介してディスペンサ１１００から流出することができる。
【００８６】
キャップ１１１２は、交換可能なカートリッジ１１６０を挿入できる中空キャビティを画定している。カートリッジ１１６０は、任意の形状にすることができるが、図１１〜図１３の例示的な実施形態では、カートリッジ１１６０は、円筒状であり、図８のカートリッジ８０８に構造的に類似している。同様に、カートリッジ１１６０は、プラスチックまたは当業者に公知の任意の他の材料から形成することができる。カートリッジ１１６０の一端には、膜１１６２が存在し、その反対側の端部には、第２のプランジャ１１６８の平面１２０８（図１２）が存在する。膜１１６２は、穿孔可能であるが、安全かつ衛生的なカートリッジ１１６０の取り扱いを実現することもできる。膜１１６２の反対側の端部において、カートリッジ１１６０は、そこから突き出た環状リップまたはリング１１６４を備えている。環状リップまたはリング１１６４は、カートリッジ１１６０をキャップ１１１２内に挿入できるようにキャップ１１１２の内径よりも小さい外径を有する。
【００８７】
第２のプランジャ１１６８は、カートリッジ１１６０内に移動可能に配設される。組み立ての際に、第２のプランジャ１１６８を、開口１１６６（図１１）からカートリッジ１１６０内に挿入することができる。第２のプランジャ１１６８は、円柱または任意の他の公知の形状とすることができる。第２のプランジャ１１６８の外周部または周辺部に沿って、１つ以上の溝１１７４を第２のプランジャ１１６８に画定することができる。１つ以上のシール部材１１７６、例えば、Ｏリングを、１つ以上の溝１１７４内に配置することができる。したがって、第２のプランジャ１１６８がカートリッジ１１６０内に配設されると、気密リザーバ１２００（図１２）が、膜１１６２と第２のプランジャ１１６８との間に確立される。したがって、リザーバ１２００内の液体１２０２および空気または他の気体は、１つ以上のシール部材１１７６を通過して漏出することができない。
【００８８】
第２のプランジャ１１６８は、膜１１６２を穿孔するための先端部１１７２を有する穿孔部材１１７０、すなわち針も備えることができる。第２のプランジャ１１６８が、カートリッジ１１６０に取り付けられると、穿孔部材１１７０は、膜１１６２を向き、この膜１１６２に整合する。ディスペンサ１１００をさらに組み立てるために、第２のプランジャ１１６８を、この第２のプランジャ１１６８がカートリッジ内で移動できなくなるまで、カートリッジ内に圧入または嵌め込むことができる。ピンまたはタブ１１５６をチャネル１１５８の長手方向部分および横方向部分を移動させて、キャップ１１１２を本体１１０２に結合する。
【００８９】
プランジャ１１０４は、本体１１０２の第１の開口１１１６から所定の深さまで挿入することができる。この所定の深さは、ラッチアーム１１４８が溝１１３６に係合できるよう、プランジャ１１０４の溝１１３６が本体１１０２のチャンバ部分１１１０の外部に維持されるように決定される。プランジャ１１０４が、所定の深さまでチャンバ部分１１１０内に挿入されたら、ラッチ１１０６を、把持部材１１０８の曲面１１５４に結合することができる。この結合を行うためには、ラッチ１１０６の一対のチャネル１１５０を、曲面１１５４に沿った一対のトラック１１５２に整合させる。ラッチアーム１１４８がプランジャ１１０４の溝１１３６に弾性的に係合するまで、ラッチ１１０６を、曲面１１５４に沿ってスライドさせることができる。あるいは、ラッチ１１０６は、把持部材１１０８の曲面１１５４に結合する必要がない。代わりに、ラッチアーム１１４８を、プランジャ１１０４の溝１１３６に単純に押圧または嵌め込んで係合させることができる。
【００９０】
動作にあたっては、最初にラッチ１１０６を、プランジャ１１０４から取り外し、これによりプランジャ１１０４が解放されて移動可能となる。液体１２０２を吐出する場合は、使用者が、キャップ１１１２に向かう方向に、プランジャ１１０４（第１のプランジャとも呼ばれる）のボタン１１２６に圧力を加える。第１のプランジャ１１０４が、本体１１０２のチャンバ部分１１１０の中にさらに押し込まれると、第１のプランジャ１１０４の端面１１４４が、第２のプランジャ１１６８の対応する端面１２０８に接触する。第１のプランジャ１１０４が第２のプランジャ１１６８に係合すると、第２のプランジャ１１６８は、膜１１６２に向かって押圧される。したがって、リザーバ１２００の容積が減少して、空気または他の気体が圧縮される。第１のプランジャ１１０４および第２のプランジャ１１６８のさらなる移動により、穿孔部材１１７０が膜１１６２に接触する。膜１１６２が弾性であると、使用者は、穿孔部材１１７０の先端部１１７２の膜１１６２との接触を感じることができる。先端部１１７２が、膜１１６２を穿孔し、リザーバ１２００内の液体１２０２がそこから吐出される。液体１２０２は、穿孔部材１１７０の長さに沿って画定された複数の流路１２０４に沿って流れることができる。圧縮された空気または気体が、液体１２０２をディスペンサ１１００からジェット状に押し出すことができる。同様に、液体１２０２は、吐出用開口１１２８または複数の間隙１１２０から吐出することができる。
【００９１】
使用後、キャップ１１１２を本体１１０２から取り外して、使用済みカートリッジ１１６０をキャップ１１１２から取り外すことができる。次いで、使用のために、新しいカートリッジ１１６０をキャップ１１１２の中に挿入することができる。したがって、ディスペンサ１１００は、再使用可能であり、使用者は、新しいカートリッジ１１６０を購入するだけで良い。したがって、この実施形態は、廃棄物および使用者のコストを軽減する。
【００９２】
図１４では、使い捨てキャップ１４００の異なる実施形態が示されている。キャップ１４００は、細い部分１４０２および太い部分１４０４を備えることができる。細い部分１４０２と太い部分１４０４は共に、円筒断面を有することができるが、他の実施形態では、各部分の断面は異なり得る。キャップ１４００は、使用後に廃棄されるようにプラスチック材料から形成することができる。他の材料もキャップ１４００の形成に使用することができるが、キャップ１４００に関連した利点の１つは、キャップ１４００が使い捨てであることである。
【００９３】
吐出用開口１４１４は、キャップ１４００の一端に画定されている。吐出用開口１４１４は、第１の延長リップ１４０６および第２の延長リップ１４０７によって形成されている。複数の間隙が、第１の延長リップ１４０６と第２の延長リップ１４０７との間に画定されているため、液体が、吐出用開口１４１４または複数の間隙のいずれかを介してキャップ１４００から流出することができる。
【００９４】
キャップ１４００の反対側端部には、１つ以上のラッチアーム１４１０が存在する。各ラッチアーム１４１０は、キャップ１４００の太い部分１４０４から延び、ディスペンサの本体に係合することができる。加えて、各ラッチアーム１４１０は、傾斜面１５１８およびラッチ縁１５１６（図１５参照）を備えている。キャップ１４００が、押圧されてディスペンサの本体と係合すると、各ラッチアーム１４１０の傾斜面１５１８が、本体の表面に沿ってスライドする。ラッチアーム１４１０は、弾性があるため、傾斜面１５１８が本体に沿ってスライドするときに、アーム１４１０が、本体に係合してキャップを本体に固定するまで外側に曲がることができる。当業者であれば、ラッチアームは、単なる例として設けられ、キャップ１４００が、そのキャップ１４００をディスペンサの本体に取り外し可能に結合する他のコネクタを画定できることを理解されよう。
【００９５】
図１５ａでは、キャップ１４００は、内部にリザーバ１５０２を画定するカートリッジ１５００を封入する、または取り囲んでいる。カートリッジ１５００は、例えば、アルミニウム、または様々な金属またはプラスチックを含む他の材料から形成することができる。液体、例えば、殺虫剤を、カートリッジ１５００内に入れておくことができる。液体に加えて、気体、第２の液体、または気液混合物を、カートリッジ１５００内に入れておくことができる。カートリッジ１５００は、円柱（円筒）または様々な他の形状とすることができる。
【００９６】
キャップ１４００は、ラッチアーム１４１０に近接して配設されるホイルシール１４１２をさらに備えている。ホイルシール１４１２は、カートリッジ１５００の一端に液密シールを形成し、膜１５１２は、その反対側端部に液密シールを形成する。ホイルシール１４１２および膜１５１２は、安全かつ衛生的なキャップ１４００の取り扱いを実現することができる。
【００９７】
プランジャ１５０４は、ホイルシール１４１２と膜１５１２との間のカートリッジ１５００内に移動可能に配置されている。プランジャ１５０４は、カートリッジ１５００の内壁に沿ってスライドするような形状である。カートリッジ１５００内に保存される液体および／または気体は、一般に、プランジャ１５０４の底端部１５２２と膜１５１２との間に収容される。プランジャ１５０４の外周部または周辺部は、画定された溝を備えることができ、この溝には、シール１５１０が嵌められるまたは成形される。シール１５１０は、プランジャ１５０４とカートリッジ１５００の内壁との間に液密シールを形成する。あるいは、複数のＯリングを、プランジャ１５０４の溝に取り付けることができる。
【００９８】
凹部１５２０が、プランジャ１５０４の一端に画定されている。凹部１５２０は、図９ａ〜図９ｂを参照して前記したように、典型的にはキャップが取り付けられたときに針の先端部または穿孔部材を収容する形状である。凹部１５２０は、円錐形状または任意の他の所望の形状を有することができる。凹部１５２０の反対側端部において、針または穿孔部材１５０６が、プランジャ１５０４から延びている。針または穿孔部材１５０６は、膜１５１２を穿孔するための先端部１５０８を備えている。図示されていないが、針または穿孔部材１５０６は、実質的にその全長に延在する流路も備えているため、膜１５１２が穿孔されると、液体および／または気体が、流路に沿って流れて、吐出用開口１４１４を介してキャップ１４００から流出することができる。
【００９９】
図１５ｂは、プランジャ１５０４が代替の実施形態であるキャップ１４００を示している。図１５ｂに示されているプランジャ１５０４は、円錐形状またはテーパである。プランジャ１５０４が移動するチャンバは、図１５ｂに示すように対応する円錐形状を有し、これは、液体のより完全な吐出を促進する。さらに、対応する円錐形状は、プランジャ１５０４の先端部を所定の中心位置までより正確に案内しやすいため、ホイルが穿孔される、より一貫した位置を提供することができる。これに関連して、例えば、キャップの端部（底部）を覆う吸収材を使用して、吐出されなかった残りの全ての材料を保持することも可能であろう。
【０１００】
図１６および図１７を参照すると、キャップ１４００を、中空本体１６０２および主プランジャ１６０４に取り付けてディスペンサ１６００を形成することができる。本体１６０２および主プランジャ１６０４は、図１１の本体１１０２およびプランジャ１１０４に類似した構造を有する。図１６および図１７では、例えば、主プランジャ１６０４は、その一端にボタン１６１０を備え、そしてその反対側端部に針１７００を備えている。針１７００は、組み立て中にキャップ１４００のホイルシール１４１２を穿孔するための先端部１７０２を備えている。先端部は、凹部１５２０に相補的な円錐形状を有する。本体１６０２は、把持部材１６０６およびハンドル１６０８を備えることができる。図示されていないが、図１１のラッチ１１０６に類似した構造を有する指で作動可能な安全ラッチを備えることができる。備える場合、ラッチは、いたずら防止ロックラッチとすることができる。加えて、ラッチは、プランジャ１６０４に取り外し可能に結合することができる。
【０１０１】
キャップ１４００を、本体１６０２の第１の端部１７０４に結合することができ、プランジャ１６０４を、本体の第２の端部１７０６に画定された開口に通すことができる。キャップ１４００を本体１６０２に結合する場合は、ラッチアーム１４１０を、図１６に示されている矢印１９０１の方向に沿ってスライドさせて本体１６０２に係合させる。詳細には、各ラッチアーム１４１０の傾斜面１５１８が、本体１６０２の表面１７１０に沿ってスライドする（図１７参照）。傾斜面１５１８の角度およびラッチアーム１４１０の弾性により、ラッチアーム１４１０が、傾斜面１５１８が表面１７１０をスライドするときに外側に曲がる。キャップ１４００が、本体１６０２に結合すると、各ラッチアーム１４１０が、本体１６０２に画定された開口１６１２に嵌まるまたは係合する。キャップ１４００が、本体１６０２に結合されると、ラッチの縁１５１６が本体１６０２の表面１７１０に当接するため、キャップ１４００を本体１６０２から引き離すことができない。前記のように、キャップ１４００が本体１６０２に結合されるときに、針１７００の先端部１７０２が、キャップ１４００のホイルシール１４１２を穿孔する。
【０１０２】
ディスペンサ１６００が組み立てられると、使用者は、主プランジャ１６０４のボタン１６１０に対して矢印１８００（図１６参照）で示されている吐出方向に力を加えることによって、カートリッジ１５００から液体および／または気体を吐出することができる。針１７００の先端部１７０２がプランジャ１５０４の凹部１５２０に係合するまで、主プランジャ１６０４を、本体１６０２内を移動させる。使用者は、さらなる力を加えて、主プランジャ１６０４およびプランジャ１５０４を、矢印１８００で示されている吐出方向に同時に移動させる必要があろう。プランジャ１５０４が吐出方向に移動すると、リザーバ１５０２内の空気が圧縮されて、針または穿孔部材１５０６が膜１５１２に接触する。膜１５１２が弾性であると、使用者は、針または穿孔部材１５０６の先端部１５０８の膜１５１２との接触を感じることができる。先端部１５０８が、膜１５１２を穿孔し、リザーバ１５０２内の液体および／または気体を吐出することができる。液体は、キャップ１４００の細い部分１４０２に画定された吐出流路１５１４に沿って流れることができる。
【０１０３】
吐出動作の後、キャップ１４００を本体１６０２から取りはずことができる。キャップ１４００の取り外しを容易にするために、ウイング１４０８が、キャップ１４００の太い部分１４０４から突き出ている。使用者が、ウイング１４０８を矢印１９００で示されている方向に沿って回転させることによってキャップ１４００を捻り、ラッチアーム１４１０を、本体１６０２に画定された開口１６１２から係合解除することができる。したがって、キャップは、ディスペンサ本体に対して直線または長手方向に装着されるが、捻り動作で取り外されることを理解できよう。重要なことは、これらの機能により、キャップを強くしっかりと嵌め込むことができるため、キャップが、吐出動作に耐えることができる。いずれの場合も、ラッチアーム１４１０が、開口１６１２から係合解除されると、キャップ１４００を本体１６０２から引き離すことができる。キャップ１４００は、使用後に廃棄することができる。別の吐出動作を行うために、新しいキャップ１４００を、前記のように本体１６０２に結合する。一実施形態では、例えば、複数のキャップが用意され、それぞれのキャップは、本体に取り外し可能かつ交換可能に結合される。
【０１０４】
本発明の原理を取り入れた例示的な実施形態を前記開示してきたが、本発明は、開示した実施形態に限定されるものではない。代わりに、本願は、本発明の一般的な原理を使用する本発明のあらゆる変形形態、使用、または適応を含むものとする。さらに、本願は、本発明が属する分野で公知または慣行の範囲であり、かつ添付の特許請求の範囲内である本開示からのこのような逸脱も含むものとする。
【０１０５】
以下は、本発明の好ましい実施形態のリストである：
１．液体をディスペンサから動物に吐出する方法であって、このディスペンサは、本体と、吐出される液体を入れたチャンバと、可動プランジャとを有するタイプであり、
ディスペンサの先端部を動物の皮膚またはその近傍に配置する工程と、
プランジャを押圧し、これによりチャンバ内の気体を圧縮する工程であって、この押圧により、穿孔部材が膜を穿孔し、この膜に開口が形成される、工程と、
液体の少なくとも一部をディスペンサの開口から動物の皮膚上に吐出する工程と
を備える方法。
２．押圧する工程の前にプランジャのロックを解除する工程をさらに備える、実施形態１に記載の方法。
３．ロックを解除する工程が、ラッチをプランジャから係合解除する工程を備える、実施形態２に記載の方法。
４．ロックを解除する工程が、本体の表面に沿ってラッチをスライドさせる工程を備える、実施形態３に記載の方法。
５．押圧する工程およびロックを解除する工程において同じ指または親指を使用することをさらに備える、実施形態２に記載の方法。
６．使用者の片方の手が、押圧する工程およびロックを解除する工程を行い、使用者の他方の手が、実質的に常に動物を保定する、実施形態２に記載の方法。
７．プランジャが完全に押圧されてから、このプランジャを所定の位置にロックする工程をさらに備える、実施形態１に記載の方法。
８．押圧する工程中に使用者に触覚フィードバックを提供する工程をさらに備え、この触覚フィードバックは、押圧に対する最初の抵抗、およびプランジャが完全に押圧されたときに使用者が知覚可能なクリックまたはスナップを含む、実施形態１に記載の方法。
９．液体をディスペンサから実質的に全て排出する工程をさらに備える、実施形態１に記載の方法。
１０．全用量が、プランジャの１回のストロークで吐出される、実施形態１に記載の方法。
１１．膜を穿孔する工程が、プランジャにより穿孔部材を膜に押し通す工程を含む、実施形態１に記載の方法。
１２．穿孔部材が、プランジャと実質的に同じ方向に移動する、実施形態１１に記載の方法。
１３．穿孔部材が、膜を穿孔すると、液体の少なくとも一部が、穿孔部材に画定された流路に沿って開口から流出する、実施形態１１に記載の方法。
１４．液体を高速でディスペンサから吐出する工程をさらに備える、実施形態１に記載の方法。
１５．押圧する工程が、使用者に触感を伝える、実施形態１に記載の方法。
１６．プランジャが、本体内を実質的に直線的に押圧される、実施形態１に記載の方法。
１７．キャップを本体の一端に結合する工程をさらに含み、このキャップが、液体がディスペンサから流出する吐出用開口を備え、このキャップが、一端に配設された膜および反対側端部におけるホイルを有するカートリッジをさらに備える、実施形態１に記載の方法。
１８．カートリッジをキャップ内に挿入する工程をさらに備える、実施形態１７に記載の方法。
１９．プランジャの移動により、穿孔部材がカートリッジの膜を穿孔し、液体が流出できる開口が膜に形成される、実施形態１７に記載の方法。
２０．プランジャの端部が、カートリッジのホイルを穿孔する、実施形態１９に記載の方法。
２１．プランジャを、カートリッジ内に移動可能に配設されたピストンに接触させる工程をさらに備える、実施形態１７に記載の方法。
２２．ピストンを移動させて、カートリッジ内の気体を圧縮する工程をさらに備える、実施形態２１に記載の方法。
２３．穿孔部位材が、ピストンから延びており、膜を穿孔する工程が、穿孔部材を膜に押し通す工程を含む、実施形態２１に記載の方法。
２４．穿孔部材が、プランジャが押圧されるときにこのプランジャと実質的に同じ方向に押される、実施形態２３に記載の方法。
２５．穿孔部材が膜を穿孔すると、液体の少なくとも一部が、穿孔部材に画定された流路に沿って開口から流出する、実施形態２３に記載の方法。
２６．接触させる工程が、プランジャの先端部を、ピストンに画定された凹部内に移動させる工程を含む、実施形態２１に記載の方法。
２７．吐出動作の後、キャップを本体から分離する工程をさらに備える、実施形態１７に記載の方法。
２８．分離する工程が、キャップを捻る工程を含む、実施形態２７に記載の方法。
２９．捻る工程が、キャップから延びた少なくとも１つのウイングに圧力を加える工程を含む、実施形態２８に記載の方法。
３０．キャップを新しいキャップと交換する工程をさらに備える、実施形態２７に記載の方法。
３１．カートリッジを新しいカートリッジと交換する工程をさらに備える、実施形態２７に記載の方法。
３２．交換する工程が、挿入する工程の後に、膜が吐出用開口に近接して配設されるように新しいカートリッジをキャップ内に挿入する工程を含む、実施形態３１に記載の方法。
３３．交換する工程が、カートリッジをキャップから取り出す工程を含む、実施形態３１に記載の方法。
３４．交換する工程が、新しいキャップを本体に結合する工程を含む、実施形態３０に記載の方法。
３５．結合する工程が、新しいキャップに画定されたピンを、本体に画定されたスロット内をスライドさせる工程を含む、実施形態３４に記載の方法。
３６．吐出する工程が、液体の少なくとも一部を、キャップに画定された複数の間隙から吐出する工程を含む、実施形態１７に記載の方法。
３７．キャップが本体に結合されるときに、プランジャが、カートリッジのホイルを穿孔する、実施形態１７に記載の方法。
３８．結合する工程が、キャップのラッチアームを、本体に画定された開口に係合させる工程を含む、実施形態１７に記載の方法。
３９．ラッチアームを開口に整合させて、ラッチアームが開口に係合するまでこのラッチアームを本体の外面に沿ってスライドさせる工程をさらに備える、実施形態３８に記載の方法。
４０．液体をディスペンサから動物に吐出する方法であって、このディスペンサは、本体と、吐出される液体を入れたチャンバと、可動プランジャとを有するタイプであり、
（ａ）ディスペンサを片方の手で把持する工程と、
（ｂ）ディスペンサの先端部を動物の皮膚またはその近傍に配置する工程と、
（ｃ）ディスペンサのラッチを片方の手でロック解除して、プランジャを解放する工程と、
（ｄ）プランジャを片方の手で押圧し、これにより液体の少なくとも一部を開口から吐出する工程と
を備える方法。
４１．工程（ｃ）が、ラッチをプランジャから係合解除する工程を含む、実施形態４０に記載の方法。
４２．工程（ｃ）および（ｄ）の最中に片方の手の同じ指または親指を使用する工程をさらに備える、実施形態４０に記載の方法。
４３．少なくとも工程（ｂ）、（ｃ）、および（ｄ）の最中に、使用者が第２の手を使用して実質的に常に動物を保定する工程をさらに備える、実施形態４０に記載の方法。
４４．少なくとも工程（ｂ）、（ｃ）、および（ｄ）の最中に、片方の手が、実質的に常にディスペンサを保持している、実施形態４３に記載の方法。
４５．工程（ｄ）の最中にプランジャが完全に押圧されたら、プランジャを所定の位置にロックする工程をさらに備える、実施形態４０に記載の方法。
４６．工程（ｄ）の最中に使用者に触覚フィードバックを提供する工程をさらに備え、この触覚フィードバックが、押圧に対する最初の抵抗、およびプランジャが完全に押圧されたときに使用者が知覚可能なクリックまたはスナップを含む、実施形態４０に記載の方法。
４７．触覚フィードバックが、空気圧クッションをさらに含む、実施形態４６に記載の方法。
４８．液体をディスペンサから実質的に全て排出する工程をさらに備える、実施形態４０に記載の方法。
４９．全用量が、プランジャの１回のストロークで吐出される、実施形態４０に記載の方法。
５０．工程（ｄ）の最中にチャンバの膜を穿孔し、これにより液体が吐出される開口が形成される工程をさらに備える、実施形態４０に記載の方法。
５１．膜を穿孔する工程が、プランジャによって画定された穿孔部材を膜に押し通す工程を含む、実施形態５０に記載の方法。
５２．穿孔部材が、プランジャと実質的に同じ方向に移動する、実施形態５１に記載の方法。
５３．穿孔部材が、膜を穿孔すると、液体の少なくとも一部が、穿孔部材に画定された流路に沿って開口から流出する、実施形態５１に記載の方法。
５４．液体が、ノミまたはダニ処置剤を含む、実施形態４０に記載の方法。
５５．液体を高速でディスペンサから吐出する工程をさらに備える、実施形態４０に記載の方法。
５６．押圧する工程が、触感を使用者に伝える、実施形態４０に記載の方法。
５７．プランジャが、本体内を直線的に押圧される、実施形態４０に記載の方法。
５８．液体ディスペンサであって：
把持部材が延びている中空本体と、
その本体内に移動可能に配設されたプランジャであって、このプランジャの移動により膜が穿孔され、液体がディスペンサから流出するための開口が膜に形成される、プランジャと、
本体に移動可能に結合され、プランジャに近接して配置されたラッチであって、このラッチの移動により、プランジャが、解放されて移動可能となる、ラッチと、
を備え、
使用者の手がディスペンサを把持したときに、把持部材を放すことなく使用者の同じ指でラッチおよびプランジャを作動させることができるように、プランジャおよびラッチが、把持部材に対して配置されている、ディスペンサ。
５９．プランジャが、針を備え、第１の位置と第２の位置との間で移動可能であり、プランジャが第１の位置から第２の位置に移動すると、針が、膜を穿孔し、少なくとも部分的に膜を貫通して延在する、実施形態５８に記載のディスペンサ。
６０．針が、その針の長さに沿って少なくとも部分的に延在する流路を備えている、実施形態５９に記載のディスペンサ。
６１．穿孔中に針と膜が協働して、少なくとも１つの流路を形成し、液体がこの流路を通ってディスペンサから流出することができる、実施形態５９に記載のディスペンサ。
６２．少なくとも１つの流路が、針の外面に位置している、実施形態６１に記載のディスペンサ。
６３．本体が、プランジャが挿入される第１の開口、および液体が吐出される第２の開口を画定している、実施形態５９に記載のディスペンサ。
６４．膜が、第１の開口と第２の開口との中間に配設されている、実施形態６３に記載のディスペンサ。
６５．第２の位置では、針の先端部が本体内に位置している、実施形態５９に記載のディスペンサ。
６６．第１の位置では、液体が、プランジャと膜との中間に配置されている、実施形態５９に記載のディスペンサ。
６７．本体とプランジャの中間に移動可能に配設されたシール部材をさらに備える、実施形態５８に記載のディスペンサ。
６８．シール部材が、プランジャの周りに周方向に配設されたＯリングを備えている、実施形態６７に記載のディスペンサ。
６９．膜が、本体に一体形成されている、実施形態５８に記載のディスペンサ。
７０．本体が、射出成形部品を有する、実施形態６９に記載のディスペンサ。
７１．ラッチがプランジャに係合して、ディスペンサの使用準備ができるまでプランジャが押圧されるのを防止する第１の位置と、ラッチがプランジャから係合解除され、それによってプランジャが解放されて移動可能となる第２の位置との間で、ラッチがスライド可能である、実施形態５８に記載のディスペンサ。
７２．ラッチが、第１の位置にあるプランジャに形成された溝に係合するアームを備えている、実施形態７１に記載のディスペンサ。
７３．プランジャが吐出された位置に達するとそのプランジャに係合し、そのプランジャを第２の位置に保持するロックをさらに備える、実施形態５８に記載のディスペンサ。
７４．把持部材が、使用者の指用に少なくとも１つの溝を備えている、実施形態５８に記載のディスペンサ。
７５．膜が変形可能である、実施形態５８に記載のディスペンサ。
７６．本体が、一端に膜を有するリザーバを画定しており、プランジャが、リザーバの第２の端部に移動可能に配設されたシール部材を有する、実施形態５８に記載のディスペンサ。
７７．リザーバが、液体および気体を含む、実施形態７６に記載のディスペンサ。
７８．プランジャが膜に向かって移動すると、気体が圧縮される、実施形態７７に記載のディスペンサ。
７９．中空本体が、その一端に配設されたキャップを備えている、実施形態５８に記載のディスペンサ。
８０．キャップが、本体に取り外し可能に結合可能である、実施形態７９に記載のディスペンサ。
８１．キャップが、差し込み式接続によって本体に取り外し可能に結合可能である、実施形態８０に記載のディスペンサ。
８２．キャップが、吐出用開口を画定している、実施形態７９に記載のディスペンサ。
８３．キャップ内に取り外し可能に配設されたカートリッジをさらに備え、膜が、カートリッジの一端に配設されている、実施形態７９に記載のディスペンサ。
８４．カートリッジ内に移動可能に配設されたピストンをさらに備え、このピストンが、プランジャによって操作可能である、実施形態８３に記載のディスペンサ。
８５．ピストンの移動により膜が穿孔され、液体がディスペンサから流出するための開口が膜に形成される、実施形態８４に記載のディスペンサ。
８６．ピストンが、膜を穿孔するための穿孔部材を備えている、実施形態８４に記載のディスペンサ。
８７．穿孔部材が、その穿孔部材に画定された複数の流路を備えている、実施形態８６に記載のディスペンサ。
８８．穿孔部材が膜を穿孔すると、液体が、複数の流路に沿って流れてディスペンサから流出する、実施形態８７に記載のディスペンサ。
８９．穿孔部材が、膜に向けられてその膜に整合した先端部を備えている、実施形態８６に記載のディスペンサ。
９０．プランジャが、ピストンと実質的に一直線に整列している、実施形態８４に記載のディスペンサ。
９１．使用中、プランジャは、吐出方向に移動し、ピストンに接触する、実施形態８４に記載の液体ディスペンサ。
９２．プランジャがピストンに接触した後は、プランジャとピストンが、実質的に一緒に吐出方向に移動する、実施形態９１に記載の液体ディスペンサ。
９３．プランジャが、ピストンに接触する針を備えている、実施形態９１に記載の液体ディスペンサ。
９４．接触中、針の先端部が、ピストンに画定された凹部に係合している、実施形態９３に記載の液体ディスペンサ。
９５．カートリッジが、膜の反対側端部に配設されたホイルを備えている、実施形態８３に記載のディスペンサ。
９６．使用前は、プランジャが、カートリッジから離隔している、実施形態８３に記載のディスペンサ。
９７．ディスペンサを製造する方法であって：
チャンバを有するディスペンサ本体を用意する工程と、
液体をチャンバに加える工程と、
プランジャをチャンバ内に挿入する工程と、
チャンバとプランジャとの間に実質的に気密のシールを形成する工程と、
プランジャをチャンバ内の所望の深さに保持する工程と、
プランジャを解放可能なラッチに係合させて、そのプランジャを使用するまで所定の位置に保持する工程と
を備える、方法。
９８．実質的に気密のシールを形成する工程が、Ｏリングをプランジャの溝に配置する工程を備える、実施形態９７に記載の方法。
９９．液体を加える工程が、プランジャを挿入する工程の前に完了する、実施形態９７に記載の方法。
１００．ディスペンサ本体と一体の把持部材を形成する工程をさらに備える、実施形態９７に記載の方法。
１０１．プランジャを係合させる工程が、ラッチのアームをプランジャに設けられた溝に係合させる工程を含む、実施形態９７に記載の方法。
１０２．一端に穿孔部材を備えたプランジャを用意する工程をさらに備える、実施形態９７に記載の方法。
１０３．プランジャを挿入する工程が、プランジャの穿孔部材を、チャンバ内をスライドさせる工程を含む、実施形態１０２に記載の方法。
１０４．チャンバにリザーバを形成する工程をさらに含み、このリザーバが、その一端にある膜およびその第２の端部にある気密シールによって画定されている、実施形態９７に記載の方法。
１０５．プランジャがチャンバ内に挿入されると、リザーバ内の空気が圧縮される、実施形態１０４に記載の方法。
１０６．一体に形成された膜を備えるディスペンサ本体を用意する工程をさらに備える、実施形態９７に記載の方法。
１０７．プランジャがチャンバ内に挿入されたときに、プランジャの先端部が膜から離隔している、実施形態１０６に記載の方法。
１０８．液体ディスペンサであって：
把持部材を有する中空本体と、
その本体の一端に結合された、吐出用開口を画定しているキャップと、
キャップ内に配設された、膜を有するカートリッジと、
本体内に移動可能に配設されたプランジャであって、このプランジャの移動により膜が穿孔され、液体がディスペンサから流出するための開口が膜に形成される、プランジャと
を備える、液体ディスペンサ。
１０９．カートリッジが、キャップ内に取り外し可能に配設されている、実施形態１０８に記載の液体ディスペンサ。
１１０．本体に移動可能に結合され、プランジャに近接して配置されたラッチをさらに備え、ラッチの移動により、プランジャが、解放されて移動可能となる、実施形態１０８に記載の液体ディスペンサ。
１１１．把持部材が、複数のトラックを備えており、ラッチが、この複数のトラックに沿って移動することができる、実施形態１１０に記載の液体ディスペンサ。
１１２．ラッチが、複数のトラックに移動可能に結合するための複数のチャネルを備えている、実施形態１１１に記載の液体ディスペンサ。
１１３．ラッチが、プランジャに係合するための複数のフォーク状アームを備えている、実施形態１１０に記載の液体ディスペンサ。
１１４．キャップが、差し込み式接続によって本体に結合される、実施形態１０８に記載の液体ディスペンサ。
１１５．キャップが、本体に画定された開口に係合するための複数のラッチアームを備えている、実施形態１０８に記載の液体ディスペンサ。
１１６．キャップが、実質的に円筒の部分およびテーパ部分を備えており、吐出用開口が、テーパ部分に画定されている、実施形態１０８に記載の液体ディスペンサ。
１１７．キャップが、細い部分および太い部分を備えており、細い部分が、吐出中に液体が通過する吐出流路を画定している、実施形態１０８に記載の液体ディスペンサ。
１１８．カートリッジが、一端に膜が配設されたハウジングを備えている、実施形態１０８に記載の液体ディスペンサ。
１１９．カートリッジ内に移動可能に配設されたピストンをさらに備える、実施形態１０８に記載の液体ディスペンサ。
１２０．ピストンの移動により膜が穿孔され、液体がディスペンサから流出するための開口が膜に形成される、実施形態１１９に記載の液体ディスペンサ。
１２１．ピストンが、膜を穿孔するための穿孔部材を備えている、実施形態１１９に記載の液体ディスペンサ。
１２２．穿孔部材が、その穿孔部材に画定された複数の流路を備えている、実施形態１２１に記載の液体ディスペンサ。
１２３．穿孔部材が膜を穿孔すると、液体が、複数の流路に沿って流れてディスペンサから流出する、実施形態１２２に記載の液体ディスペンサ。
１２４．穿孔部材が、膜に向けられた先端部を備えている、実施形態１２１に記載の液体ディスペンサ。
１２５．ピストンとカートリッジとの中間に配設されたシール部材をさらに備える、実施形態１１９に記載の液体ディスペンサ。
１２６．シール部材が、ピストンの外面に画定された溝に配設されている、実施形態１２５に記載の液体ディスペンサ。
１２７．シール部材が、プランジャに対して成形されている、実施形態１２５に記載の液体ディスペンサ。
１２８．シール部材が、Ｏリングを含む、実施形態１２５に記載の液体ディスペンサ。
１２９．膜、シール部材、およびカートリッジの内面によって画定されたリザーバをさらに備える、実施形態１２５に記載の液体ディスペンサ。
１３０．リザーバが、液体および気体を含む、実施形態１２９に記載の液体ディスペンサ。
１３１．液体が、動物を処置するための殺虫剤を含む、実施形態１３０に記載の液体ディスペンサ。
１３２．ピストンが、膜に向かう方向に移動すると、リザーバ内の空気が圧縮される、実施形態１３０に記載の液体ディスペンサ。
１３３．プランジャが、ピストンと実質的に一直線に整列している、実施形態１１９に記載の液体ディスペンサ。
１３４．使用中、プランジャが、吐出方向に移動してピストンに接触する、実施形態１１９に記載の液体ディスペンサ。
１３５．プランジャがピストンに接触した後、プランジャとピストンが、実質的に一緒に吐出方向に移動する、実施形態１３４に記載の液体ディスペンサ。
１３６．プランジャが、ピストンに接触する針を備えている、実施形態１３４に記載の液体ディスペンサ。
１３７．接触中、針の先端部が、ピストンに画定された凹部に係合している、実施形態１３６に記載の液体ディスペンサ。
１３８．プランジャがピストンに接触した後、プランジャの少なくとも一部が、カートリッジ内に移動可能に配設されることになる、実施形態１３４に記載の液体ディスペンサ。
１３９．吐出用開口が、キャップの一端に画定され、ホイルシールが、その反対側端部に配設されている、実施形態１０８に記載の液体ディスペンサ。
１４０．キャップが、本体に結合されるときに、プランジャが、ホイルシールを穿孔する、実施形態１３９に記載の液体ディスペンサ。
１４１．キャップが廃棄可能である、実施形態１０８に記載の液体ディスペンサ。
１４２．キャップが、そこから径方向外側に延びた複数のウイングを備えている、実施形態１０８に記載の液体ディスペンサ。
１４３．液体ディスペンサシステムであって：
ディスペンサであって：
把持部材を有する中空本体と、
その本体の一端に結合された、本体とは反対側の端部に吐出用開口を画定しているキャップと、
本体内に移動可能に配設されたプランジャと、を有するディスペンサと、
それぞれが、膜を有し、キャップ内に取り外し可能かつ交換可能に収容され得る、複数のカートリッジと
を備える、液体吐出システム。
１４４．プランジャの移動により、そのプランジャが膜を穿孔し、液体がディスペンサから流出するための開口が膜に形成される、実施形態１４３に記載の液体吐出システム。
１４５．本体に移動可能に結合され、指で作動可能なプランジャに近接して配置された指で作動可能なラッチをさらに備え、そのラッチの移動により、プランジャが、解放されて移動可能となる、実施形態１４３に記載の液体吐出システム。
１４６．把持部材が、複数のトラックを備えており、ラッチが、これらのトラックに沿って移動することができる、実施形態１４５に記載の液体吐出システム。
１４７．ラッチが、複数のトラックに移動可能に結合するための複数のチャネルを備えている、実施形態１４６に記載の液体吐出システム。
１４８．ラッチが、プランジャに係合するための複数のフォーク状アームを備えている、実施形態１４５に記載の液体吐出システム。
１４９．キャップが、差し込み式接続によって本体に結合される、実施形態１４３に記載の液体吐出システム。
１５０．キャップが、実質的に円筒の部分およびテーパ部分を備えており、吐出用開口が、テーパ部分の一端に画定されている、実施形態１４３に記載の液体吐出システム。
１５１．本体が、実質的に透明である、実施形態１４３に記載の液体吐出システム。
１５２．カートリッジが、一端に膜が配設されたハウジングを備えている、実施形態１４３に記載の液体吐出システム。
１５３．カートリッジ内に移動可能に配設されたピストンをさらに備える、実施形態１５２に記載の液体吐出システム。
１５４．ピストンの移動により膜が穿孔され、液体がディスペンサから流出するための開口が膜に形成される、実施形態１５３に記載の液体吐出システム。
１５５．ピストンが、膜を穿孔するための穿孔部材を備えている、実施形態１５３に記載の液体吐出システム。
１５６．穿孔部材が、その穿孔部材に画定された複数の流路を備えている、実施形態１５５に記載の液体吐出システム。
１５７．穿孔部材が膜を穿孔し、液体が、複数の流路に沿って流れてディスペンサから流出する、実施形態１５６に記載の液体吐出システム。
１５８．ピストンとカートリッジとの中間に配設されたシール部材をさらに備える、実施形態１５３に記載の液体吐出システム。
１５９．シール部材が、ピストンの外面に画定された溝に配設されている、実施形態１５８に記載の液体吐出システム。
１６０．シール部材が、Ｏリングを備える、実施形態１５８に記載の液体吐出システム。
１６１．膜、シール部材、およびカートリッジの内面によって画定されたリザーバをさらに備える、実施形態１５８に記載の液体吐出システム。
１６２．リザーバが、液体および気体を含む、実施形態１６１に記載の液体吐出システム。
１６３．液体が、動物を処置するための殺虫剤を含む、実施形態１６２に記載の液体吐出システム。
１６４．ピストンが、膜に向かう方向に移動すると、リザーバ内の空気が圧縮される、実施形態１６２に記載の液体吐出システム。
１６５．プランジャが、ピストンと実質的に一直線に整列している、実施形態１５３に記載の液体吐出システム。
１６６．使用中、プランジャが、吐出方向に移動してピストンに接触する、実施形態１５３に記載の液体吐出システム。
１６７．プランジャが、ピストンに接触した後、プランジャとピストンが、実質的に同時に吐出方向に移動する、実施形態１６６に記載の液体吐出システム。
１６７．プランジャが、ピストンに接触する針を備えている、実施形態１６６に記載の液体吐出システム。
１６８．接触中、針の先端部が、ピストンに画定された凹部に係合している、実施形態１６７に記載の液体吐出システム。
１６９．プランジャが、ピストンに接触した後、プランジャの少なくとも一部が、カートリッジ内に移動可能に配設されることになる、実施形態１６６に記載の液体吐出システム。
１７０．液体または気体を吐出するためのシステムであって、
中空の本体およびその本体内に移動可能に配設されたプランジャを有し、前記本体が把持部材を有するディスペンサと、
それぞれが、一端に吐出用開口を画定し、内部に配設された膜を有する複数のキャップと
を備え、
各キャップが、前記本体の一端に取り外し可能かつ交換可能に結合可能である
システム。
１７１．プランジャの移動により、そのプランジャが膜を穿孔し、液体がディスペンサから流出するための開口が膜に形成される、実施形態１７０に記載のシステム。
１７２．各キャップが、差し込み式接続によって本体に結合可能である、実施形態１７０に記載のシステム。
１７３．各キャップが、本体に結合するためのラッチアームを備えている、実施形態１７０に記載のシステム。
１７４．キャップが本体に結合すると、ラッチアームが、本体に画定された開口に係合する、実施形態１７３に記載のシステム。
１７５．前記ラッチアームが、複数のラッチアームを含む、実施形態１７３に記載のシステム。
１７６．キャップが、細い円筒部分および太い円筒部分を備えており、吐出用開口が、細い円筒部分の一端に画定されている、実施形態１７０に記載のシステム。
１７７．各キャップ内に配設されたカートリッジをさらに備え、膜が、カートリッジの一端に配設されている、実施形態１７０に記載のシステム。
１７８．カートリッジ内に移動可能に配設されたピストンをさらに備える、実施形態１７７に記載のシステム。
１７９．ピストンの移動により膜が穿孔され、液体がディスペンサから流出するための開口が膜に形成される、実施形態１７８に記載のシステム。
１８０．ピストンが、膜を穿孔するための穿孔部材を備えている、実施形態１７８に記載のシステム。
１８１．穿孔部材が、その穿孔部材に画定された複数の流路を備えている、実施形態１８０に記載のシステム。
１８２．穿孔部材が膜を穿孔すると、液体が、複数の流路に沿って流れてディスペンサから流出する、実施形態１８１に記載のシステム。
１８３．ピストンとカートリッジとの中間に配設されたシール部材をさらに備える、実施形態１７８に記載のシステム。
１８４．シール部材が、ピストンに対して成形されている、実施形態１８３に記載のシステム。
１８５．使用中、プランジャが、吐出方向に移動してピストンに接触する、実施形態１７８に記載のシステム。
１８６．プランジャがピストンに接触した後、プランジャとピストンが、実質的に同時に吐出方向に移動する、実施形態１８５に記載のシステム。
１８７．プランジャが、ピストンに接触する針を備えている、実施形態１８５に記載のシステム。
１８８．接触中、針の先端部が、ピストンに画定された凹部に係合している、実施形態１８７に記載のシステム。
１８９．プランジャがピストンに接触した後、プランジャの少なくとも一部が、カートリッジ内に移動可能に配設されることになる、実施形態１８５に記載のシステム。
１９０．使用後、キャップを本体から分離ことができる、実施形態１７０に記載のシステム。
１９１．各キャップが、そこから径方向外側に延びたウイングを備えている、実施形態１９０に記載のシステム。
１９２．ウイングが、複数のウイングを含む、実施形態１９１に記載のシステム。
１９３．キャップを本体から分離するためにウイングを捻ることができる、実施形態１９１に記載のシステム。
１９４．本体に移動可能に結合され、プランジャに近接して配置された指で作動可能なラッチをさらに備え、そのラッチの移動により、プランジャが、解放されて移動可能となる、実施形態１７０に記載のシステム。
１９５．液体ディスペンサに結合するためのキャップであって、
一端に吐出用開口を画定し、かつ前記ディスペンサに結合するためのコネクタを画定している、液体を収容するための液密のハウジングと、
前記ハウジング内に移動可能に配設されたプランジャと
を備え、
プランジャの移動により、キャップの膜が穿孔され、液体がキャップから流出するための開口が膜に形成される、キャップ。
１９６．前記膜が、吐出用開口に近接して配設されている、実施形態１９５に記載のキャップ。
１９７．プランジャが、膜を穿孔するための穿孔部材を備えている、実施形態１９５に記載のキャップ。
１９８．プランジャの一端に画定された凹部をさらに備える、実施形態１９５に記載のキャップ。
１９９．プランジャとハウジングとの間に配設されたシール部材をさらに備える、実施形態１９５に記載のキャップ。
２００．シール部材が、プランジャに対して成形されている、実施形態１９９に記載のキャップ。
２０１．コネクタに近接して配設されたホイルシールをさらに備える、実施形態１９５に記載のキャップ。
２０２．コネクタが、ラッチアームを備えている、実施形態１９５に記載のキャップ。
２０３．ハウジングから延びた複数のウイングをさらに備える、実施形態１９５に記載のキャップ。
２０４．ハウジング内に画定された吐出流路をさらに備え、この流路が、膜から吐出用開口まで延びている、実施形態１９５に記載のキャップ。
【図１Ａ】
2013542729.tif 000003
【図１Ｂ】
2013542729.tif 000004
【図２Ａ】
2013542729.tif 000005
【図２Ｂ】
2013542729.tif 000006
【図３】
2013542729.tif 000007
【図３Ａ】
2013542729.tif 000008
【図３Ｂ】
2013542729.tif 000009
【図４Ａ】
2013542729.tif 000010
【図４Ｂ】
2013542729.tif 000011
【図４Ｃ】
2013542729.tif 000012
【図５】
2013542729.tif 000013
【図６Ａ】
2013542729.tif 000014
【図６Ｂ】
2013542729.tif 000015
【図７】
2013542729.tif 000016
【図８】
2013542729.tif 000017
【図９ａ】
2013542729.tif 000018
【図９ｂ】
2013542729.tif 000019
【図１０】
2013542729.tif 000020
【図１１】
2013542729.tif 000021
【図１２】
2013542729.tif 000022
【図１３】
2013542729.tif 000023
【図１４】
2013542729.tif 000024
【図１５ａ】
2013542729.tif 000025
【図１５ｂ】
2013542729.tif 000026
【図１６】
2013542729.tif 000027
【図１７】
2013542729.tif 000028
【手続補正書】
【提出日】平成25年7月4日(2013.7.4)
【手続補正１】
【補正対象書類名】特許請求の範囲
【補正対象項目名】全文
【補正方法】変更
【補正の内容】
【特許請求の範囲】
【請求項１】
液体ディスペンサであって、
把持部材を有する中空の本体と、
前記本体の一端に結合され、吐出用開口を画定しているキャップと、
前記キャップ内に配設され、膜を有するカートリッジと、
前記本体内に移動可能に配設されたプランジャと
を備え、
前記プランジャの移動により前記膜が穿孔され、液体が前記ディスペンサから流出するための開口が前記膜に形成されることを特徴とする液体ディスペンサ。
【請求項２】
前記カートリッジが、前記キャップ内に取り外し可能に配設されている、請求項１に記載の液体ディスペンサ。
【請求項３】
前記本体に移動可能に結合され、前記プランジャに近接して配置されたラッチをさらに備え、前記ラッチの移動により、前記プランジャが、解放されて移動可能となる、請求項１または２に記載の液体ディスペンサ。
【請求項４】
前記カートリッジが、一端に前記膜が配設されたハウジングを備えている、請求項１乃至３のいずれか１つに記載の液体ディスペンサ。
【請求項５】
前記カートリッジ内に移動可能に配設されたピストンをさらに備える、請求項１乃至４のいずれか１つに記載の液体ディスペンサ。
【請求項６】
前記ピストンの移動により前記膜が穿孔され、液体が前記ディスペンサから流出するための開口が前記膜に形成される、請求項５に記載の液体ディスペンサ。
【請求項７】
液体および気体が充填されたリザーバを更に備える、請求項１乃至６の何れか１つに記載の液体ディスペンサ。
【請求項８】
前記液体が、動物を処置するための殺虫剤を含む、請求項７に記載の液体ディスペンサ。
【請求項９】
前記ピストンが前記膜に向かう方向に移動すると、前記リザーバ内の前記空気が圧縮される、請求項７または８に記載の液体ディスペンサ。
【請求項１０】
使用中、前記プランジャが、吐出方向に移動して前記ピストンに接触し、前記プランジャが前記ピストンに接触した後、前記プランジャと前記ピストンとが実質的に一緒に前記吐出方向に移動する、請求項５に記載の液体ディスペンサ。
【請求項１１】
前記吐出用開口が前記キャップの一端に画定され、シールがその反対側端部に配設されている、請求項１乃至１０のいずれか１つに記載の液体ディスペンサ。
【請求項１２】
前記キャップが前記本体に結合されるときに、前記プランジャが前記シールを穿孔する、請求項１１に記載の液体ディスペンサ。
【請求項１３】
中空の本体および前記本体内に移動可能に配設されたプランジャを有し、前記本体は把持部材を有するディスペンサと、
それぞれが、一端に吐出用開口を画定し、内部に配設された膜を有する複数のキャップと
を備え、各キャップは、前記本体の一端に、取り外し可能かつ交換可能に結合可能であることを特徴とする液体を吐出するためのシステム。
【請求項１４】
前記ピストンの移動により前記膜が穿孔され、液体が前記ディスペンサから流出するための開口が前記膜に形成される、請求項１３に記載のシステム。
【請求項１５】
前記各キャップ内に配設されたカートリッジをさらに備え、前記膜が、前記カートリッジの一端に配設されている、請求項１３に記載のシステム。
【請求項１６】
液体をディスペンサから動物に吐出する方法であって、前記動物には人間は含まれず、前記ディスペンサは、本体と、吐出される前記液体を入れたチャンバと、可動のプランジャとを有するタイプのものであり、
前記ディスペンサの先端部を前記動物の皮膚またはその近傍に配置する工程と、
前記プランジャを押圧し、これにより前記チャンバ内の気体を圧縮する工程であって、この押圧により、穿孔部材が膜を穿孔し、この膜に開口が形成される工程と、
前記液体の少なくとも一部を前記ディスペンサの開口から前記動物の皮膚上に吐出する工程と
を備える方法。
【請求項１７】
液体をディスペンサから動物の皮膚に吐出する方法であって、前記動物には人間は含まれず、前記ディスペンサは、本体と、吐出用の開口と、前記液体を入れたチャンバと、可動のプランジャとを有するタイプのものであり、
（ａ）前記ディスペンサを片方の手で把持する工程と、
（ｂ）前記ディスペンサの前記開口を前記動物の皮膚またはその近傍に配置する工程と、
（ｃ）前記ディスペンサを前記片方の手でロック解除して、前記プランジャを解放する工程と、
（ｄ）前記プランジャを前記片方の手で押圧し、これにより前記液体の少なくとも一部を前記開口から吐出する工程と
を備える方法。
【国際調査報告】
2013542729.tif 000029
2013542729.tif 000030
2013542729.tif 000031